(57)【要約】【課題】地域毎に集計されるデータの信頼性を向上させる。【解決手段】解析部１０３は、蓄積者の顔画像ではないと判定された場合、照合対象者の顔画像を解析し、照合対象者の特徴情報を抽出する。位置情報取得部１０６は、自らの位置情報を取得する。送信部１０５は、解析結果である特徴情報、顔画像、位置情報、および店舗名を対応付けて、マーケティングデータとして第３者遊技店管理センタ４に送信する。電文解析部１５２は、生体情報認識装置２１より送信されてくるマーケティングデータに含まれる店舗名に対応する位置情報が、管理データベース１５６に予め対応付けて登録された位置情報と一致するか否かを判定する。登録部１５３は、位置情報が一致しているとみなされた場合、受信されたマーケティングデータを第３者遊技店管理DB５に合算して記憶させる。本発明は、マーケティングデータ管理システムに適用することができる。【選択図】図２
2012048541.tif 000002
【特許請求の範囲】
【請求項１】
データを複数の情報処理装置より集めて集計情報として管理すると共に、前記複数の情報処理装置に対して前記集計情報を配信する管理装置、および、前記複数の情報処理装置とからなる情報管理システムにおいて、
前記情報処理装置は、
顔画像を蓄積者の顔画像として蓄積者データベースに蓄積する蓄積手段と、
画像より照合対象者の顔画像を取得する取得手段と、
前記取得手段により取得された照合対象者の顔画像と、前記蓄積手段に蓄積された蓄積者の顔画像との類似度を計算し、類似度と所定の閾値との比較により、前記照合対象者の顔画像が前記蓄積者の顔画像であるか否かを判定する照合手段と、
前記照合手段により前記照合対象者の顔画像が前記蓄積者の顔画像ではないと判定された場合、前記照合対象者の顔画像を解析し、前記照合対象者の特徴情報を抽出する解析手段と、
自らの位置情報を取得する位置情報取得手段と、
前記解析手段の解析結果である特徴情報、前記照合対象者の顔画像、位置情報、および自らを識別する識別情報を対応付けて、データとして前記管理装置に送信するデータ送信手段と
を含み、
前記管理装置は、
前記情報処理装置より送信されてくるデータを受信するデータ受信手段と、
前記データに含まれる前記識別情報と前記位置情報とを予め対応付けて登録した管理データベースを記憶する管理データベース記憶手段と、
前記データ受信手段により受信されたデータに含まれる識別情報に基づいて、前記管理データベースに登録されている位置情報を検索し、前記データに含まれる位置情報と一致するか否かを判定する判定手段と、
前記判定手段により一致しているとみなされた場合、前記データ受信手段で受信されたデータを集計情報に合算して記憶する合算手段と
を含む
情報管理システム。
【請求項２】
前記情報処理装置は、
前記管理装置に対して、データが集計された集計情報を要求する集計情報要求を送信する要求情報送信手段と、
前記集計情報要求に応じて送信されてくる集計情報を取得する集計情報取得手段とをさらに含み、
前記管理装置は、
前記情報処理装置より送信されてくる前記集計情報要求を取得する集計情報要求取得手段と、
前記集計情報要求に基づいて、前記集計情報を前記情報処理装置に送信する集計情報送信手段とをさらに含む
請求項１に記載の管理システム。
【請求項３】
前記位置情報取得手段は、前記位置情報として携帯通信網で通信可能な基地局の情報である基地情報を取得する
請求項１に記載の管理システム。
【請求項４】
前記位置情報取得手段は、前記位置情報としてGPS情報を取得する
請求項１に記載の管理システム。
【請求項５】
データを複数の情報処理装置より集めて集計情報として管理すると共に、前記複数の情報処理装置に対して前記集計情報を配信する管理装置、および、前記複数の情報処理装置とからなる情報管理システムであって、
前記情報処理装置は、
顔画像を蓄積者の顔画像として蓄積者データベースに蓄積する蓄積手段と、
画像より照合対象者の顔画像を取得する取得手段と、
前記取得手段により取得された照合対象者の顔画像と、前記蓄積手段に蓄積された蓄積者の顔画像との類似度を計算し、類似度と所定の閾値との比較により、前記照合対象者の顔画像が前記蓄積者の顔画像であるか否かを判定する照合手段と、
前記照合手段により前記照合対象者の顔画像が前記蓄積者の顔画像ではないと判定された場合、前記照合対象者の顔画像を解析し、前記照合対象者の特徴情報を抽出する解析手段と、
自らの位置情報を取得する位置情報取得手段と、
前記解析手段の解析結果である特徴情報、前記照合対象者の顔画像、位置情報、および自らを識別する識別情報を対応付けて、データとして前記管理装置に送信するデータ送信手段と
を含み、
前記管理装置は、
前記情報処理装置より送信されてくるデータを受信するデータ受信手段と、
前記データに含まれる前記識別情報と前記位置情報とを予め対応付けて登録した管理データベースを記憶する管理データベース記憶手段と、
前記データ受信手段により受信されたデータに含まれる識別情報に基づいて、前記管理データベースに登録されている位置情報を検索し、前記データに含まれる位置情報と一致するか否かを判定する判定手段と、
前記判定手段により一致しているとみなされた場合、前記データ受信手段で受信されたデータを集計情報に合算して記憶する合算手段と
を含む
情報管理システムの情報管理方法であって、
前記情報処理装置の情報管理方法は、
前記取得手段における、前記画像より照合対象者の顔画像を取得する取得ステップと、
前記照合手段における、前記取得ステップの処理により取得された照合対象者の顔画像と、前記蓄積手段に蓄積された蓄積者の顔画像との類似度を計算し、類似度と所定の閾値との比較により、前記照合対象者の顔画像が前記蓄積者の顔画像であるか否かを判定する照合ステップと、
前記解析手段における、前記照合ステップの処理により前記照合対象者の顔画像が前記蓄積者の顔画像ではないと判定された場合、前記照合対象者の顔画像を解析し、前記照合対象者の特徴情報を抽出する解析ステップと、
前記位置情報取得手段における、自らの位置情報を取得する位置情報取得ステップと、
前記データ送信手段における、前記解析ステップの処理での解析結果である特徴情報、前記照合対象者の顔画像、位置情報、および自らを識別する識別情報を対応付けて、データとして前記管理装置に送信するデータ送信ステップと
を含み、
前記管理装置の情報管理方法は、
前記データ受信手段における、前記情報処理装置より送信されてくるデータを受信するデータ受信ステップと、
前記判定手段における、前記データ受信ステップの処理により受信されたデータに含まれる識別情報に基づいて、前記管理データベースに登録されている位置情報を検索し、前記データに含まれる位置情報と一致するか否かを判定する判定ステップと、
前記合算手段における、前記判定ステップの処理により一致しているとみなされた場合、前記データ受信ステップの処理で受信されたデータを集計情報に合算して記憶する合算ステップと
を含む
情報処理方法。
【請求項６】
データを複数の情報処理装置より集めて集計情報として管理すると共に、前記複数の情報処理装置に対して前記集計情報を配信する管理装置、および、前記複数の情報処理装置とからなる情報管理システムであって、
前記情報処理装置は、
顔画像を蓄積者の顔画像として蓄積者データベースに蓄積する蓄積手段と、
画像より照合対象者の顔画像を取得する取得手段と、
前記取得手段により取得された照合対象者の顔画像と、前記蓄積手段に蓄積された蓄積者の顔画像との類似度を計算し、類似度と所定の閾値との比較により、前記照合対象者の顔画像が前記蓄積者の顔画像であるか否かを判定する照合手段と、
前記照合手段により前記照合対象者の顔画像が前記蓄積者の顔画像ではないと判定された場合、前記照合対象者の顔画像を解析し、前記照合対象者の特徴情報を抽出する解析手段と、
自らの位置情報を取得する位置情報取得手段と、
前記解析手段の解析結果である特徴情報、前記照合対象者の顔画像、位置情報、および自らを識別する識別情報を対応付けて、データとして前記管理装置に送信するデータ送信手段と
を含み、
前記管理装置は、
前記情報処理装置より送信されてくるデータを受信するデータ受信手段と、
前記データに含まれる前記識別情報と前記位置情報とを予め対応付けて登録した管理データベースを記憶する管理データベース記憶手段と、
前記データ受信手段により受信されたデータに含まれる識別情報に基づいて、前記管理データベースに登録されている位置情報を検索し、前記データに含まれる位置情報と一致するか否かを判定する判定手段と、
前記判定手段により一致しているとみなされた場合、前記データ受信手段で受信されたデータを集計情報に合算して記憶する合算手段と
を含む
情報管理システムを制御するコンピュータのうち、
前記情報処理装置を制御するコンピュータに、
前記取得手段における、前記画像より照合対象者の顔画像を取得する取得ステップと、
前記照合手段における、前記取得ステップの処理により取得された照合対象者の顔画像と、前記蓄積手段に蓄積された蓄積者の顔画像との類似度を計算し、類似度と所定の閾値との比較により、前記照合対象者の顔画像が前記蓄積者の顔画像であるか否かを判定する照合ステップと、
前記解析手段における、前記照合ステップの処理により前記照合対象者の顔画像が前記蓄積者の顔画像ではないと判定された場合、前記照合対象者の顔画像を解析し、前記照合対象者の特徴情報を抽出する解析ステップと、
前記位置情報取得手段における、自らの位置情報を取得する位置情報取得ステップと、
前記データ送信手段における、前記解析ステップの処理での解析結果である特徴情報、前記照合対象者の顔画像、位置情報、および自らを識別する識別情報を対応付けて、データとして前記管理装置に送信するデータ送信ステップと
を含む処理を実行させ、
前記管理装置を制御するコンピュータに、
前記データ受信手段における、前記情報処理装置より送信されてくるデータを受信するデータ受信ステップと、
前記判定手段における、前記データ受信ステップの処理により受信されたデータに含まれる識別情報に基づいて、前記管理データベースに登録されている位置情報を検索し、前記データに含まれる位置情報と一致するか否かを判定する判定ステップと、
前記合算手段における、前記判定ステップの処理により一致しているとみなされた場合、前記データ受信ステップの処理で受信されたデータを集計情報に合算して記憶する合算ステップと
を含む処理を実行させるプログラム。
【発明の詳細な説明】
【技術分野】
【０００１】
本発明は、情報管理システムおよび方法、並びにプログラムに関し、特に、顔画像を用いた認証処理により人物のデータを蓄積する際、地域や位置毎に確実で正確にデータを集計できるようにした情報管理システムおよび方法、並びにプログラムに関する。
【背景技術】
【０００２】
現在、多くの店舗や公共施設では、不特定多数の来店客または来場者の情報を画像として撮像し、撮像された画像内における人物の顔画像を解析して、来店客、または来場者の傾向をマーケティング情報として利用し、営業を支援するシステムが提案されている（特許文献１参照）。
【先行技術文献】
【特許文献】
【０００３】
【特許文献１】特開２００８−２８４０７７号公報
【発明の開示】
【発明が解決しようとする課題】
【０００４】
しかしながら、上述したシステムでは、出入口に設置する複数のカメラ、各店舗に少なくとも１台の情報処理装置、さらに各店舗の位置情報を取得してマーケティングデータと共に各店舗の全データを集計する装置に送信する無線ルータが１台という構成となっている。このような構成の場合、店舗側で情報処理装置、および無線ルータの設置場所が変更されて（チェーン店間移動されて）、運用されてしまうことが考えられる。
【０００５】
結果として、無線ルータの移設に伴って、無線ルータで取得される位置の情報が変化してしまうため、地域毎のマーケティングデータを正確に収集することができない恐れがあった。
【０００６】
本発明はこのような状況に鑑みてなされたものであり、顔画像と、その位置情報とを対応付けてデータを収拾し、マーケティングデータとして用いるシステムにおいて、無線ルータの設置位置が移設されても、正確に位置情報を取得できるようにし、収集されるマーケティングデータを位置情報に伴った正確なものにできるようにすることで、地域毎に集計されるマーケティングデータの信頼性を向上させるものである。
【課題を解決するための手段】
【０００７】
本発明の一側面の情報処理装置は、データを複数の情報処理装置より集めて集計情報として管理すると共に、前記複数の情報処理装置に対して前記集計情報を配信する管理装置、および、前記複数の情報処理装置とからなる情報管理システムにおいて、前記情報処理装置は、顔画像を蓄積者の顔画像として蓄積者データベースに蓄積する蓄積手段と、画像より照合対象者の顔画像を取得する取得手段と、前記取得手段により取得された照合対象者の顔画像と、前記蓄積手段に蓄積された蓄積者の顔画像との類似度を計算し、類似度と所定の閾値との比較により、前記照合対象者の顔画像が前記蓄積者の顔画像であるか否かを判定する照合手段と、前記照合手段により前記照合対象者の顔画像が前記蓄積者の顔画像ではないと判定された場合、前記照合対象者の顔画像を解析し、前記照合対象者の特徴情報を抽出する解析手段と、自らの位置情報を取得する位置情報取得手段と、前記解析手段の解析結果である特徴情報、前記照合対象者の顔画像、位置情報、および自らを識別する識別情報を対応付けて、データとして前記管理装置に送信するデータ送信手段とを含み、前記管理装置は、前記情報処理装置より送信されてくるデータを受信するデータ受信手段と、前記データに含まれる前記識別情報と前記位置情報とを予め対応付けて登録した管理データベースを記憶する管理データベース記憶手段と、前記データ受信手段により受信されたデータに含まれる識別情報に基づいて、前記管理データベースに登録されている位置情報を検索し、前記データに含まれる位置情報と一致するか否かを判定する判定手段と、前記判定手段により一致しているとみなされた場合、前記データ受信手段で受信されたデータを集計情報に合算して記憶する合算手段とを含む。
【０００８】
前記情報処理装置には、前記管理装置に対して、データが集計された集計情報を要求する集計情報要求を送信する要求情報送信手段と、前記集計情報要求に応じて送信されてくる集計情報を取得する集計情報取得手段とをさらに含ませるようにすることができ、前記管理装置には、前記情報処理装置より送信されてくる前記集計情報要求を取得する集計情報要求取得手段と、前記集計情報要求に基づいて、前記集計情報を前記情報処理装置に送信する集計情報送信手段とを含ませるようにすることができる。
【０００９】
前記位置情報取得手段には、前記位置情報として携帯通信網で通信可能な基地局の情報である基地情報を取得させるようにすることができる。
【００１０】
前記位置情報取得手段には、前記位置情報としてGPS情報を取得させるようにすることができる。
【００１１】
本発明の一側面の情報管理システムの情報管理方法は、データを複数の情報処理装置より集めて集計情報として管理すると共に、前記複数の情報処理装置に対して前記集計情報を配信する管理装置、および、前記複数の情報処理装置とからなる情報管理システムであって、前記情報処理装置は、顔画像を蓄積者の顔画像として蓄積者データベースに蓄積する蓄積手段と、画像より照合対象者の顔画像を取得する取得手段と、前記取得手段により取得された照合対象者の顔画像と、前記蓄積手段に蓄積された蓄積者の顔画像との類似度を計算し、類似度と所定の閾値との比較により、前記照合対象者の顔画像が前記蓄積者の顔画像であるか否かを判定する照合手段と、前記照合手段により前記照合対象者の顔画像が前記蓄積者の顔画像ではないと判定された場合、前記照合対象者の顔画像を解析し、前記照合対象者の特徴情報を抽出する解析手段と、自らの位置情報を取得する位置情報取得手段と、前記解析手段の解析結果である特徴情報、前記照合対象者の顔画像、位置情報、および自らを識別する識別情報を対応付けて、データとして前記管理装置に送信するデータ送信手段とを含み、前記管理装置は、前記情報処理装置より送信されてくるデータを受信するデータ受信手段と、前記データに含まれる前記識別情報と前記位置情報とを予め対応付けて登録した管理データベースを記憶する管理データベース記憶手段と、前記データ受信手段により受信されたデータに含まれる識別情報に基づいて、前記管理データベースに登録されている位置情報を検索し、前記データに含まれる位置情報と一致するか否かを判定する判定手段と、前記判定手段により一致しているとみなされた場合、前記データ受信手段で受信されたデータを集計情報に合算して記憶する合算手段とを含む情報管理システムの情報管理方法であって、前記情報処理装置の情報管理方法は、前記取得手段における、前記画像より照合対象者の顔画像を取得する取得ステップと、前記照合手段における、前記取得ステップの処理により取得された照合対象者の顔画像と、前記蓄積手段に蓄積された蓄積者の顔画像との類似度を計算し、類似度と所定の閾値との比較により、前記照合対象者の顔画像が前記蓄積者の顔画像であるか否かを判定する照合ステップと、前記解析手段における、前記照合ステップの処理により前記照合対象者の顔画像が前記蓄積者の顔画像ではないと判定された場合、前記照合対象者の顔画像を解析し、前記照合対象者の特徴情報を抽出する解析ステップと、前記位置情報取得手段における、自らの位置情報を取得する位置情報取得ステップと、前記データ送信手段における、前記解析ステップの処理での解析結果である特徴情報、前記照合対象者の顔画像、位置情報、および自らを識別する識別情報を対応付けて、データとして前記管理装置に送信するデータ送信ステップとを含み、前記管理装置の情報管理方法は、前記データ受信手段における、前記情報処理装置より送信されてくるデータを受信するデータ受信ステップと、前記判定手段における、前記データ受信ステップの処理により受信されたデータに含まれる識別情報に基づいて、前記管理データベースに登録されている位置情報を検索し、前記データに含まれる位置情報と一致するか否かを判定する判定ステップと、前記合算手段における、前記判定ステップの処理により一致しているとみなされた場合、前記データ受信ステップの処理で受信されたデータを集計情報に合算して記憶する合算ステップとを含む。
【００１２】
本発明の一側面のプログラムは、データを複数の情報処理装置より集めて集計情報として管理すると共に、前記複数の情報処理装置に対して前記集計情報を配信する管理装置、および、前記複数の情報処理装置とからなる情報管理システムであって、前記情報処理装置は、顔画像を蓄積者の顔画像として蓄積者データベースに蓄積する蓄積手段と、画像より照合対象者の顔画像を取得する取得手段と、前記取得手段により取得された照合対象者の顔画像と、前記蓄積手段に蓄積された蓄積者の顔画像との類似度を計算し、類似度と所定の閾値との比較により、前記照合対象者の顔画像が前記蓄積者の顔画像であるか否かを判定する照合手段と、前記照合手段により前記照合対象者の顔画像が前記蓄積者の顔画像ではないと判定された場合、前記照合対象者の顔画像を解析し、前記照合対象者の特徴情報を抽出する解析手段と、自らの位置情報を取得する位置情報取得手段と、前記解析手段の解析結果である特徴情報、前記照合対象者の顔画像、位置情報、および自らを識別する識別情報を対応付けて、データとして前記管理装置に送信するデータ送信手段とを含み、前記管理装置は、前記情報処理装置より送信されてくるデータを受信するデータ受信手段と、前記データに含まれる前記識別情報と前記位置情報とを予め対応付けて登録した管理データベースを記憶する管理データベース記憶手段と、前記データ受信手段により受信されたデータに含まれる識別情報に基づいて、前記管理データベースに登録されている位置情報を検索し、前記データに含まれる位置情報と一致するか否かを判定する判定手段と、前記判定手段により一致しているとみなされた場合、前記データ受信手段で受信されたデータを集計情報に合算して記憶する合算手段とを含む情報管理システムを制御するコンピュータのうち、前記情報処理装置を制御するコンピュータに、前記取得手段における、前記画像より照合対象者の顔画像を取得する取得ステップと、前記照合手段における、前記取得ステップの処理により取得された照合対象者の顔画像と、前記蓄積手段に蓄積された蓄積者の顔画像との類似度を計算し、類似度と所定の閾値との比較により、前記照合対象者の顔画像が前記蓄積者の顔画像であるか否かを判定する照合ステップと、前記解析手段における、前記照合ステップの処理により前記照合対象者の顔画像が前記蓄積者の顔画像ではないと判定された場合、前記照合対象者の顔画像を解析し、前記照合対象者の特徴情報を抽出する解析ステップと、前記位置情報取得手段における、自らの位置情報を取得する位置情報取得ステップと、前記データ送信手段における、前記解析ステップの処理での解析結果である特徴情報、前記照合対象者の顔画像、位置情報、および自らを識別する識別情報を対応付けて、データとして前記管理装置に送信するデータ送信ステップとを含む処理を実行させ、前記管理装置を制御するコンピュータに、前記データ受信手段における、前記情報処理装置より送信されてくるデータを受信するデータ受信ステップと、前記判定手段における、前記データ受信ステップの処理により受信されたデータに含まれる識別情報に基づいて、前記管理データベースに登録されている位置情報を検索し、前記データに含まれる位置情報と一致するか否かを判定する判定ステップと、前記合算手段における、前記判定ステップの処理により一致しているとみなされた場合、前記データ受信ステップの処理で受信されたデータを集計情報に合算して記憶する合算ステップとを含む処理を実行させる。
【００１３】
本発明の一側面においては、データを複数の情報処理装置より集めて集計情報として管理すると共に、前記複数の情報処理装置に対して前記集計情報を配信する管理装置、および、前記複数の情報処理装置とからなる情報管理システムであって、前記情報処理装置により、顔画像が蓄積者の顔画像として蓄積者データベースに蓄積され、画像より照合対象者の顔画像が取得され、取得された照合対象者の顔画像と、蓄積された蓄積者の顔画像との類似度が計算されて、類似度と所定の閾値との比較により、前記照合対象者の顔画像が前記蓄積者の顔画像であるか否かが判定され、前記照合対象者の顔画像が前記蓄積者の顔画像ではないと判定された場合、前記照合対象者の顔画像が解析されて、前記照合対象者の特徴情報が抽出され、自らの位置情報が取得され、解析結果である特徴情報、前記照合対象者の顔画像、位置情報、および自らを識別する識別情報が対応付けられて、データとして前記管理装置に送信され、前記管理装置により、前記情報処理装置より送信されてくるデータが受信され、前記データに含まれる前記識別情報と前記位置情報とが予め対応付けて登録された管理データベースが記憶され、受信されたデータに含まれる識別情報に基づいて、前記管理データベースに登録されている位置情報が検索され、前記データに含まれる位置情報と一致するか否かが判定され、一致しているとみなされた場合、受信されたデータが集計情報に合算されて記憶される。
【００１４】
本発明の一側面の情報処理装置における、データを複数の情報処理装置より集めて集計情報として管理すると共に、前記複数の情報処理装置に対して前記集計情報を配信する管理装置とは、例えば、第３者遊技店管理センタであり、前記複数の情報処理装置とは、例えば、各遊技店の生体情報認識装置であり、前記情報処理装置の、顔画像を蓄積者の顔画像として蓄積者データベースに蓄積する蓄積手段とは、例えば、生成情報データベースであり、画像より照合対象者の顔画像を取得する取得手段とは、例えば、顔画像取得部であり、前記取得手段により取得された照合対象者の顔画像と、前記蓄積手段に蓄積された蓄積者の顔画像との類似度を計算し、類似度と所定の閾値との比較により、前記照合対象者の顔画像が前記蓄積者の顔画像であるか否かを判定する照合手段とは、例えば、照合部であり、前記照合手段により前記照合対象者の顔画像が前記蓄積者の顔画像ではないと判定された場合、前記照合対象者の顔画像を解析し、前記照合対象者の特徴情報を抽出する解析手段とは、例えば、解析部であり、自らの位置情報を取得する位置情報取得手段とは、例えば、位置情報取得部であり、前記解析手段の解析結果である特徴情報、前記照合対象者の顔画像、位置情報、および自らを識別する識別情報を対応付けて、データとして前記管理装置に送信するデータ送信手段とは、例えば、送信部であり、前記管理装置の、前記情報処理装置より送信されてくるデータを受信するデータ受信手段とは、例えば、受信部であり、前記データに含まれる前記識別情報と前記位置情報とを予め対応付けて登録した管理データベースを記憶する管理データベース記憶手段とは、例えば、管理データベースであり、前記データ受信手段により受信されたデータに含まれる識別情報に基づいて、前記管理データベースに登録されている位置情報を検索し、前記データに含まれる位置情報と一致するか否かを判定する判定手段とは、例えば、電文解析部であり、前記判定手段により一致しているとみなされた場合、前記データ受信手段で受信されたデータを集計情報に合算して記憶する合算手段とは、例えば、登録部であり、集計情報とは、第３者遊技店管理データベースである。
【００１５】
すなわち、照合部で照合対象者の顔画像が蓄積者の顔画像ではないと判定された場合、つまり、蓄積者データベースに未登録の人物の顔画像であると判定された場合、たとえば、解析部が、顔画像の特徴情報として、顔画像におけるシワや肌のシミなどから、人物の性別、年齢、または顔の表情などを解析する。また、位置情報取得部が、無線ルータを制御して、自らの位置情報として、例えば、携帯電話機の基地局の情報を基地情報として取得する。そして、送信部が、顔画像、特徴情報、位置情報、および自らを識別する識別情報として店舗名の情報をマーケティングデータとして第３者遊技店管理センタに送信する。第３者遊技店管理センタの受信部が、送信されてきたマーケティングデータを受信する。そして、電文解析部が、受信したマーケティングデータに含まれる識別情報である店舗名に基づいて、予め店舗名である識別情報と、位置情報である基地情報とが登録されている管理データベースから、受信したデータに含まれる識別情報である店舗名に対応付けて登録されている位置情報である基地情報を検索する。検索された位置情報と、データに含まれる位置情報とが一致した場合、登録部は、受信したデータの情報を第３者遊技店管理データベースに合算して登録する。
【００１６】
結果として、第３者遊技店管理データベースには、予め登録された店舗名と、対応する位置情報を含むマーケティングデータのみが合算されることになるので、無線ルータが、店舗間で移動されて使用されるようなことがあっても、第３者遊技店管理データベースには、位置情報に対応付けられたデータだけを蓄積することが可能となるので、第３者遊技店管理データベースの情報を位置情報に対応付けて解析することで、例えば、地域毎のマーケティング情報を正確、かつ、確実に取得することが可能となる。
【発明の効果】
【００１７】
本発明によれば、取得されるデータの位置精度を向上させることにより、地域毎に集計されるデータの信頼性を向上させることが可能となる。
【図面の簡単な説明】
【００１８】
【図１】本発明を適用したマーケティングデータ管理システムの一実施の形態の構成を示す図である。
【図２】図１のマーケティングデータ管理システムの構成例を説明する図である。
【図３】図２のマーケティングデータ管理システムによるマーケティングデータ管理処理を説明するフローチャートである。
【図４】図２のマーケティングデータ管理システムによるマーケティングデータ管理処理を説明するフローチャートである。
【図５】図２の第３者遊技店管理センタによる登録処理を説明するフローチャートである。
【図６】図２の生体情報認識装置による位置情報送信処理を説明するフローチャートである。
【図７】図２の生体情報認識装置による基地情報取得処理を説明するフローチャートである。
【図８】図２の第３者遊技店管理センタによるデータチェック処理を説明するフローチャートである。
【図９】図２の第３者遊技店管理センタによる受信電文別処理を説明するフローチャートである。
【図１０】図２の第３者遊技店管理センタに登録される管理データベースの構成を説明する図である。
【図１１】図２の第３者遊技店管理センタに登録される管理データベースの基地情報に基づいた位置情報を説明する図である。
【図１２】図２の生体情報認識装置によるカメラ画像生成処理を説明するフローチャートである。
【図１３】図２の生体情報認識装置によるマーケティングデータ作成処理を説明するフローチャートである。
【図１４】図２の生体情報認識装置によるマーケティングデータ作成履歴を説明する図である。
【図１５】図２の生体情報認識装置によるマーケティングデータ送信処理を説明するフローチャートである。
【図１６】図２の生体情報認識装置によるマーケティングデータ取得要求送信処理を説明するフローチャートである。
【図１７】マーケティングデータ取得要求に基づいて送信されてくるマーケティングデータの例を説明する図である。
【図１８】図１のマーケティングデータ管理システムのその他の構成例を説明する図である。
【図１９】図１８の第３者遊技店管理センタによる登録処理を説明するフローチャートである。
【図２０】図１８の生体情報認識装置による位置情報送信処理を説明するフローチャートである。
【図２１】図１８の生体情報認識装置によるGPS情報取得処理を説明するフローチャートである。
【図２２】図１８の第３者遊技店管理センタによるデータチェック処理を説明するフローチャートである。
【図２３】図１８の第３者遊技店管理センタによる受信電文別処理を説明するフローチャートである。
【図２４】図１８の第３者遊技店管理センタに登録される管理データベースの構成を説明する図である。
【図２５】図１８の第３者遊技店管理センタの管理データベースに登録される地区名の構成例を説明する図である。
【図２６】汎用のパーソナルコンピュータの構成例を説明する図である。
【発明を実施するための最良の形態】
【００１９】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２０】
すなわち、本発明の一側面の情報処理装置は、データを複数の情報処理装置より集めて集計情報として管理すると共に、前記複数の情報処理装置に対して前記集計情報を配信する管理装置（例えば、図２の第３者遊技店管理センタ４）、および、前記複数の情報処理装置（例えば、図２の遊技店１の生体情報認識装置２１）とからなる情報管理システムにおいて、前記情報処理装置は、顔画像を蓄積者の顔画像として蓄積者データベースに蓄積する蓄積手段（例えば、図２の生体情報DB２２）と、画像より照合対象者の顔画像を取得する取得手段（例えば、図２の顔画像取得部１０１）と、前記取得手段により取得された照合対象者の顔画像と、前記蓄積手段に蓄積された蓄積者の顔画像との類似度を計算し、類似度と所定の閾値との比較により、前記照合対象者の顔画像が前記蓄積者の顔画像であるか否かを判定する照合手段（例えば、図２の照合部１０２）と、前記照合手段により前記照合対象者の顔画像が前記蓄積者の顔画像ではないと判定された場合、前記照合対象者の顔画像を解析し、前記照合対象者の特徴情報を抽出する解析手段（例えば、図２の解析部１０３）と、自らの位置情報を取得する位置情報取得手段（例えば、図２の位置情報取得部１０６）と、前記解析手段の解析結果である特徴情報、前記照合対象者の顔画像、位置情報、および自らを識別する識別情報を対応付けて、データとして前記管理装置に送信するデータ送信手段（例えば、図２の送信部１０５）とを含み、前記管理装置は、前記情報処理装置より送信されてくるデータを受信するデータ受信手段（例えば、図２の受信部１５１）と、前記データに含まれる前記識別情報と前記位置情報とを予め対応付けて登録した管理データベースを記憶する管理データベース記憶手段（例えば、図２の管理データベース１５６）と、前記データ受信手段により受信されたデータに含まれる識別情報に基づいて、前記管理データベースに登録されている位置情報を検索し、前記データに含まれる位置情報と一致するか否かを判定する判定手段（例えば、図２の電文解析部１５２）と、前記判定手段により一致しているとみなされた場合、前記データ受信手段で受信されたデータを集計情報に合算して記憶する合算手段（例えば、図２の登録部１５３）とを含む。
【００２１】
前記情報処理装置には、前記管理装置に対して、データが集計された集計情報を要求する集計情報要求を送信する要求情報送信手段（例えば、図２の送信部１０５）と、前記集計情報要求に応じて送信されてくる集計情報を取得する集計情報取得手段（例えば、図２の受信部１０９）とをさらに含ませるようにすることができ、前記管理装置には、前記情報処理装置より送信されてくる前記集計情報要求を取得する集計情報要求取得手段（例えば、図２の受信部１５１）と、前記集計情報要求に基づいて、前記集計情報を前記情報処理装置に送信する集計情報送信手段（例えば、図２の送信部１５５）とを含ませるようにすることができる。
【００２２】
本発明の一側面の情報管理システムの情報管理方法は、データを複数の情報処理装置より集めて集計情報として管理すると共に、前記複数の情報処理装置に対して前記集計情報を配信する管理装置、および、前記複数の情報処理装置とからなる情報管理システムであって、前記情報処理装置は、顔画像を蓄積者の顔画像として蓄積者データベースに蓄積する蓄積手段と、画像より照合対象者の顔画像を取得する取得手段と、前記取得手段により取得された照合対象者の顔画像と、前記蓄積手段に蓄積された蓄積者の顔画像との類似度を計算し、類似度と所定の閾値との比較により、前記照合対象者の顔画像が前記蓄積者の顔画像であるか否かを判定する照合手段と、前記照合手段により前記照合対象者の顔画像が前記蓄積者の顔画像ではないと判定された場合、前記照合対象者の顔画像を解析し、前記照合対象者の特徴情報を抽出する解析手段と、自らの位置情報を取得する位置情報取得手段と、前記解析手段の解析結果である特徴情報、前記照合対象者の顔画像、位置情報、および自らを識別する識別情報を対応付けて、データとして前記管理装置に送信するデータ送信手段とを含み、前記管理装置は、前記情報処理装置より送信されてくるデータを受信するデータ受信手段と、前記データに含まれる前記識別情報と前記位置情報とを予め対応付けて登録した管理データベースを記憶する管理データベース記憶手段と、前記データ受信手段により受信されたデータに含まれる識別情報に基づいて、前記管理データベースに登録されている位置情報を検索し、前記データに含まれる位置情報と一致するか否かを判定する判定手段と、前記判定手段により一致しているとみなされた場合、前記データ受信手段で受信されたデータを集計情報に合算して記憶する合算手段とを含む情報管理システムの情報管理方法であって、前記情報処理装置の情報管理方法は、前記取得手段における、前記画像より照合対象者の顔画像を取得する取得ステップ（例えば、図１２のステップＳ１６３）と、前記照合手段における、前記取得ステップの処理により取得された照合対象者の顔画像と、前記蓄積手段に蓄積された蓄積者の顔画像との類似度を計算し、類似度と所定の閾値との比較により、前記照合対象者の顔画像が前記蓄積者の顔画像であるか否かを判定する照合ステップ（例えば、図１２のステップＳ１６７）と、前記解析手段における、前記照合ステップの処理により前記照合対象者の顔画像が前記蓄積者の顔画像ではないと判定された場合、前記照合対象者の顔画像を解析し、前記照合対象者の特徴情報を抽出する解析ステップ（例えば、図１２のステップＳ１６９）と、前記位置情報取得手段における、自らの位置情報を取得する位置情報取得ステップ（例えば、図１５のステップＳ２０１）と、前記データ送信手段における、前記解析ステップの処理での解析結果である特徴情報、前記照合対象者の顔画像、位置情報、および自らを識別する識別情報を対応付けて、データとして前記管理装置に送信するデータ送信ステップ（例えば、図１５のステップＳ２０６）とを含み、前記管理装置の情報管理方法は、前記データ受信手段における、前記情報処理装置より送信されてくるデータを受信するデータ受信ステップ（例えば、図９のステップＳ１４１）と、前記判定手段における、前記データ受信ステップの処理により受信されたデータに含まれる識別情報に基づいて、前記管理データベースに登録されている位置情報を検索し、前記データに含まれる位置情報と一致するか否かを判定する判定ステップ（例えば、図９のステップＳ１４３）と、前記合算手段における、前記判定ステップの処理により一致しているとみなされた場合、前記データ受信ステップの処理で受信されたデータを集計情報に合算して記憶する合算ステップ（例えば、図９のステップＳ１４７）とを含む。
【００２３】
＜第１の実施例＞
［監視システムの構成例］
図１は、本発明に係る遊技店のマーケティングデータ管理システムの一実施の形態の構成を示す図である。
【００２４】
図１のマーケティングデータ管理システムは、各遊技店１の来店者の情報を顔画像として取得すると共に、顔画像を解析することにより性別、または年齢を推定して、マーケティングデータを生成し、第３者遊技店管理センタ４が、各遊技店１で取得した顔画像のマーケティングデータを第３者遊技店管理データベース（DB）５に蓄積すると共に、各遊技店１からの要求に応じて、要求のあった遊技店１の地域毎のマーケティングデータの集積結果を送信することで、各遊技店１における地域に合わせた営業戦略を支援するものである。
【００２５】
遊技店１−１乃至１−ｎは、いわゆるパチンコ店、パチスロ店、または、カジノ店である。また、これらの遊技店１−１乃至１−ｎは、系列店舗または第３者遊技店管理センタの加盟店であって、複数の店舗を統括的に管理する必要のある店舗である。各遊技店１−１乃至１−ｎは、第３者遊技店管理バス７により接続されており、それらのバスおよびインターネット等に代表される公衆通信回線網９を介して、相互にそれぞれ第３者遊技店管理情報を授受している。尚、以降において、遊技店１−１乃至１−ｎのそれぞれについて、特に区別する必要がない場合、単に、遊技店１と称するものとし、その他の構成についても同様に称するものとする。
【００２６】
第３者遊技店管理バス７は、主に各遊技店１の媒体貸出管理装置２７により管理される媒体貸出管理情報を流通させるための伝送路として機能する。
【００２７】
第３者遊技店管理センタ４は、第３者遊技店管理センタを管理運営する事業者により使用されるサーバであり、第３者遊技店管理データベース（DB）５で管理されているマーケティングデータからなるDBを各遊技店１より供給されてくるマーケティングデータに基づいて更新すると供に、更新した最新のマーケティングデータのうち、遊技店の属する地域毎のマーケティングデータのみを各遊技店１に対して配信する。
【００２８】
生体情報認識装置２１は、カメラ３８−１乃至３８−ｍ、入口カメラ４０−１乃至４０−ｐ、および店内カメラ４１−１乃至４１−ｑにより撮像された画像より画像処理ユニット３９−１乃至３９−（ｍ＋ｐ＋ｑ）により抽出されて、生体情報バス３１を介して供給されてくる顔画像の情報に基づいて、生体情報データベース２２に予め登録されている顔画像と照合し、一致する場合、登録遊技者の来店を携帯端末２０に通知したり、LCD（Liquid Crystal Display）または有機EL（Electronic Luminescent）などからなる表示部２３に表示する。また、生体情報データベース２２に予め登録されている顔画像と照合し、一致しない場合、生体情報認識装置２１は、生体情報DB２２に登録すると共に、顔画像を解析し、解析結果と共に第３者遊技店管理センタ４に供給する。
【００２９】
遊技店管理装置２４は、いわゆるホールコンピュータと呼ばれるものであり、遊技店管理情報バス３０を介して遊技台３６−１乃至３６−ｍの動作を監視している。遊技店管理装置２４は、遊技台３６の出玉もしくはメダルの払い出しの情報、各遊技台３６−１乃至３６−ｍの遊技者の呼び出し情報、またはエラーの発生などの監視状況に応じて、所定の処理を実行し、実行結果をLCDや有機ELなどからなる表示部２５に表示する。遊技店管理装置２４は、計数機３５、遊技台３６−１乃至３６−ｍ、および遊技台周辺端末３７−１乃至３７−ｍのそれぞれより供給されてくる情報を、それぞれを識別する識別情報（例えば、遊技台番号）とを対応付けて遊技台管理データベース２６により管理する。
【００３０】
媒体貸出管理装置２７は、精算販売機３３、および貸出機３４からの情報に基づいて、貸し出される遊技媒体の媒体貸出管理情報を媒体貸出管理データベース２９を用いて管理すると供に、媒体貸出管理データベース２９に登録されている媒体貸出管理情報を更新する際、その更新情報を、第３者遊技店管理バス７および公衆通信回線網９を介して第３者遊技店管理センタ４に送る。さらに、媒体貸出管理装置２７は、第３者遊技店管理バス７および公衆通信回線網９を介して第３者遊技店管理センタ４により供給されてくる媒体貸出管理情報を取得し、媒体貸出管理データベース２９に蓄積させる。
【００３１】
貸出機３４は、遊技者が遊技台３６で遊技する際、現金やプリペイドカードなどにより所定の金額を受け付けると、金額に応じた個数の遊技媒体を貸し出す。この際、貸出機３４は、受け付けた現金やプリペイドカードの残数などの情報と供に、貸し出した遊技媒体の個数の情報を媒体貸出管理装置２７に供給する。これにより、媒体貸出管理装置２７は、受け付けた現金やプリペイドカードの残数などの情報と供に、貸し出した遊技媒体の個数の情報を媒体貸出管理情報データベース２９に登録する。
【００３２】
精算販売機３３は、貸球を借りるための度数をつけてプリペイドカードを販売する。このとき、精算販売機３３は、販売したプリペイドカードの度数を払いうけた金額を媒体貸出管理装置２７に供給する。また、精算販売機３３は、プリペイドカードなどの度数として貸し出した遊技媒体の残数に基づいて現金を精算して払い出す。このとき、精算販売機３３は、プリペイドカードの残数と払い戻した現金の金額を媒体貸出管理装置２７に供給する。
【００３３】
計数機３５は、遊技者が遊技台３６により遊技することにより獲得した遊技媒体の数を、計数し、計数結果を磁気カードやレシートなどとして出力する。
【００３４】
遊技台３６−１乃至３６−ｍは、遊技者により所定の操作がなされることにより、遊技を実行し、いわゆる小当たりや大当たりに応じて、遊技球、または、メダルを払い出す。
【００３５】
遊技台周辺端末３７−１乃至３７−ｍは、各遊技台３６−１乃至３６−ｍに対応して設けられている、いわゆる台間機であり、台間球貸機（原理的には、貸出機３４と同様のもの）などが設けられている。また、遊技台周辺端末３７は、遊技台３６を遊技する遊技者の顔画像などの生体情報を取得し、遊技台識別情報（遊技台番号）と共に生体情報認識装置２１に送信する。尚、図１においては、生体情報を取得する機能として、遊技者の顔画像を取得するカメラ３８−１乃至３８−ｍが設けられている例が示されている。
【００３６】
［生体情報認識装置および第３者遊技店管理センタの構成例］
次に、図２を参照して、生体情報認識装置および第３者遊技店管理センタの構成例について説明する。
【００３７】
生体情報認識装置２１は、顔画像取得部１０１、照合部１０２、解析部１０３、マーケティングデータDB１０４、送信部１０５、位置情報取得部１０６、位置情報メモリ１０７、操作部１０８、および受信部１０９を備えている。生体情報認識装置２１は、カメラ３８により撮像された画像より、画像処理ユニット３９により抽出された顔画像を受け付ける。より詳細には、画像処理ユニット３９は、カメラ３８（または、入口カメラ４０もしくは店内カメラ４１）により撮像された画像を取得し、取得した画像内に、顔を構成する部位の配置などのパターンからなる顔全体の輪郭に対応した基準テンプレートを用いたテンプレートマッチングにより顔画像からなる矩形画像を抽出して生体情報認識装置２１に供給する。
【００３８】
顔画像取得部１０１は、画像処理ユニット３９より供給される顔画像を取得し、照合部１０２に供給する。照合部１０２は、顔画像取得部１０１により取得された顔画像を構成する領域から各器官を構成する特徴点を顔器官として抽出する。ここで、顔器官を構成する特徴点とは、口の両端、目尻、目頭、鼻先などのような、口、目、および鼻の各器官を構成する画素の中でも特に特徴的な位置の画素である。
【００３９】
照合部１０２は、取得された顔画像と、生体情報DB２２に予め登録されている登録遊技者の顔画像とを照合し、類似度の低い候補となる顔画像があれば、解析部１０３に供給する。
【００４０】
より詳細には、照合部１０２は、顔画像について、識別するための特徴量を抽出する。照合部１０２は、生体情報DB２２に登録されている登録遊技者の顔画像の特徴量を抽出すると供に、抽出された顔画像の特徴量とを順次用いて、生体情報DB２２に登録されている全ての登録遊技者の顔画像との類似度を求め、顔画像取得部１０１より供給されてきた顔画像と供に類似度を計算する。より具体的には、照合部１０２は、例えば、目と目の間隔、あごから額までの長さと、あごから鼻までの長さの比率などの各種の顔の特徴量に基づいて、それぞれの差分和、平均比率、または比率和などを類似度として求める。
【００４１】
尚、ここでは、類似度は、例えば、比率和で示されるような登録遊技者として登録されている顔画像に近いほど高い値を示すものであるとし、類似度が所定の閾値よりも高い値であるとき、その類似度に対応する登録遊技者の顔画像であるものとして判定する例について説明する。しかしながら、例えば、類似度が撮像された顔画像と登録遊技者として登録されている顔画像とのそれぞれの特徴量における差分和として表現されている場合、類似度が閾値よりも小さければ、撮像された顔画像群が登録遊技者の顔画像であるとみなすことになり、または、平均比率などの場合、０乃至１の範囲で所定の値以上であって、１に近い値であれば、同一の人物であるとみなすことができる。
【００４２】
解析部１０３は、照合部１０２により生体情報DB２２に登録されていない顔画像について、顔画像の情報に含まれる情報を解析して、解析結果と共に、顔画像をマーケティングデータとしてマーケティングデータDB１０４に登録する。より詳細には、解析部１０３は、例えば、顔画像に含まれるシワや肌のシミなどを解析することにより、年齢や性別、さらには、顔の表情を解析結果として求め、マーケティングデータDB１０４に登録する。
【００４３】
位置情報取得部１０６は、無線ルータ１２１を制御して、位置情報として受信可能な携帯電話機の基地局のIDからなる基地情報を位置情報として取得し、位置情報メモリ１０７に記憶させる。
【００４４】
送信部１０５は、キーボード、マウス、または操作ボタンなどからなる操作部１０８からの操作信号に基づいて、マーケティングデータDB１０４に登録されているマーケティングデータと共に、位置情報メモリ１０７より位置情報を読み出して、送信バッファ１０５ａにセットする。さらに、送信部１０５は、無線ルータ１２１を制御して、送信バッファ１０５ａにセットされているマーケティングデータ、および位置情報に加えて、自らの店舗を識別する情報として、例えば、店舗名の情報を無線ルータ１２１から第３者遊技店管理センタ４に送信させる。また、送信部１０５は、操作部１０８より入力されて送信バッファ１０５ａにセットされているマーケティングデータの集計結果を要求するマーケティングデータ取得要求を無線ルータ１２１を制御して第３者遊技店管理センタ４に送信する。
【００４５】
無線ルータ１２１は、送信部１０５の送信バッファ１０５ａにセットされているデータを第３者遊技店管理センタ４に送信し、または、第３者遊技店管理センタ４より送信されてくるデータを受信すると共に、受信部１０９の受信バッファ１０９ａにセットする。また、無線ルータ１２１は、基地情報取得部１２１ａを制御して、受信可能な携帯電話機の基地局のIDからなる基地情報を位置情報として取得させて、位置情報取得部１０６に供給する。
【００４６】
受信部１０９は、無線ルータ１２１により受信され、受信バッファ１０９ａにセットされているデータを読み出し、LCD、または有機ELよりなる表示部２３に表示する。
【００４７】
第３者遊技店管理センタ４は、無線ルータ１５０、受信部１５１、電文解析部１５２、登録部１５３、データ生成部１５４、送信部１５５、および管理データベース１５６を備えている。
【００４８】
無線ルータ１５０は、位置情報として基地情報取得部１２１ａの機能を除いては、基本的に無線ルータ１２１と同様のものであり、遊技店１の生体情報認識装置２１との情報を授受し、受信したデータを受信部１５１の受信バッファ１５１ａにセットすると共に、送信部１５５の送信バッファ１５６ａにセットされたデータを送信する。
【００４９】
受信部１５１は、受信バッファ１５１ａにセットされたデータを受信して、電文解析部１５２に供給する。電文解析部１５２は、受信部１５１より供給されてくるデータとしての電文を、予め登録されている管理データベース１５６の情報と比較して解析し、解析結果に応じて、データ作成部１５４、または登録部１５３に供給する。より詳細には、電文解析部１５２は、生体情報認識装置２１より送信されてくるデータの電文を解析することにより、それらのヘッダ部に含まれている位置情報と店舗名とが、予め管理データベース１５６に登録されている情報と一致するか否かを判断する。そして、電文解析部１５２は、それらの情報が一致しているとき、データ部の情報が、マーケティングデータの集計結果を要求するマーケティングデータ取得要求であるか、または、マーケティングデータであるかを認識する。さらに、電文解析部１５２は、マーケティングデータである場合、そのデータを登録部１５３に供給する。また、電文解析部１５２は、マーケティングデータ取得要求である場合、データ作成部１５４に供給する。
【００５０】
登録部１５３は、マーケティングデータが供給されてくると、第３者遊技店管理DB５に登録されているマーケティングデータに合算して登録させる。
【００５１】
データ作成部１５４は、遊技店１からのマーケティングデータ取得要求に基づいて、第３者遊技店管理DB５に蓄積されているマーケティングデータのうち、遊技店１の地域のマーケティングデータを読み出して、集計結果として送信部１５５の送信バッファ１５５ａにセットする。送信部１５５は、送信バッファ１５５ａの集計結果を無線ルータ１５０を制御して、生体情報認識装置２１に送信する。
【００５２】
［登録遊技者来店監視処理］
次に、図３，図４のフローチャートを参照して、図２のマーケティングデータ管理システムによるマーケティングデータ管理処理について説明する。尚、図３，図４の左部には、第３者遊技店管理センタ４の処理が、右部には、生体情報認識装置２１の処理がそれぞれ記載されており、第３者遊技店管理センタの処理については、図３，図４のいずれも同様の処理が記載されている。
【００５３】
ステップＳ１において、第３者遊技店管理センタ４の登録部１５３は、図示せぬキーボード、マウス、および操作ボタンの全て、またはそのいずれかなどからなる操作部からの操作信号に基づいて、管理データベース１５６に登録すべき情報の登録操作の開始を促す操作がなされたか否かを判定する。ステップＳ１において、例えば、新規に遊技店１のマーケティングデータを管理できるようにするために、第３者遊技店管理センタ４の使用者が、図示せぬ操作部を操作し、新規の遊技店１の登録操作の開始を促す操作をした場合、処理は、ステップＳ２に進む。
【００５４】
ステップＳ２において、登録部１５３は、登録処理を実行して、登録操作に伴う入力操作を受け付ける。
【００５５】
［登録処理］
ここで、図５のフローチャートを参照して、登録処理について説明する。
【００５６】
ステップＳ７１において、登録部１５３は、新規に登録する遊技店１の店舗名の入力を受け付ける。すなわち、第３者遊技店管理センタの使用者が、図示せぬ操作部を操作して、新規にマーケティングデータを受け付けようとする遊技店１の店舗名を入力すると、店舗名の入力を受け付けて、一時的に記憶する。
【００５７】
ステップＳ７２において、登録部１５３は、登録地区の入力を受け付ける。すなわち、第３者遊技店管理センタの使用者が、図示せぬ操作部を操作して、新規にマーケティングデータを受け付けようとする遊技店１の存在する地区である登録地区を入力すると、登録地区の入力を受け付けて、一時的に記憶する。
【００５８】
ステップＳ７３において、登録部１５３は、送信部１５５の送信バッファ１５５ａに登録する遊技店１に対して位置情報を取得して送信してくるように指示する位置情報取得要求をセットする。これにより、送信部１５５は、送信バッファ１５５ａの位置情報取得要求を無線ルータ１５０より遊技店１の生体情報認識装置２１に送信する。
【００５９】
以上のステップＳ７１乃至Ｓ７３の処理により、登録処理は終了することとなるが、登録処理そのものは、この時点では完了しておらず、これに対応する生体情報認識装置２１からの応答処理（位置情報送信処理）と、さらに、その応答処理に対応した処理が含まれる。尚、これらの処理については、以降において、順次説明するものとする。
【００６０】
ここで、図３のフローチャートの説明に戻る。
【００６１】
ステップＳ２の登録処理が終了すると、この処理に応じて、生体情報認識装置２１の処理が開始される。尚、ステップＳ１において、登録操作がないとみなされた場合、ステップＳ２の処理は、スキップされる。
【００６２】
ステップＳ３１において、受信部１０９は、無線ルータ１２１を介して、第３者遊技店管理センタ４から位置情報取得要求が送信されてきて、受信バッファ１０９ａにセットされているか否かを判定する。例えば、ステップＳ７３（図５）の処理により、位置情報送信要求が送信されてきた場合、処理は、ステップＳ３２に進む。
【００６３】
ステップＳ３２において、位置情報取得部１０６は、位置情報送信処理を実行して、位置情報を取得して、無線ルータ１２１より第３者遊技店管理センタ４に送信する。
【００６４】
［位置情報送信処理］
ここで、図６のフローチャートを参照して、位置情報送信処理について説明する。
【００６５】
ステップＳ９１において、位置情報取得部１０６は、基地情報取得処理を実行し、受信可能な携帯電話機の基地局のIDからなる基地情報を位置情報として取得する。
【００６６】
［基地情報取得処理］
ここで、図７のフローチャートを参照して、基地情報取得処理について説明する。
【００６７】
ステップＳ１１１において、位置情報取得部１０６は、無線ルータ１２１に対して基地情報を取得させるように指示する。この指示に応じて、無線ルータ１２１は、基地情報取得部１２１ａを制御して、図示せぬ携帯電話機の基地局として通信可能な基地局のIDを取得して位置情報取得部１０６に供給する。
【００６８】
ステップＳ１１２において、位置情報取得部１０６は、無線ルータ１２１より位置情報である携帯電話機の基地局のIDの情報からなる基地情報が供給されてきて、位置情報として取得できたか否かを判定する。
【００６９】
ステップＳ１１２において、位置情報取得部１０６は、無線ルータ１２１より位置情報が供給されてきて、位置情報が取得できたと判定された場合、処理は、ステップＳ１１３に進む。
【００７０】
ステップＳ１１３において、位置情報取得部１０６は、供給されてきた基地局のIDを位置情報として位置情報メモリ１０７に記憶させる。
【００７１】
ステップＳ１１４において、位置情報取得部１０６は、所定回数だけ、ステップＳ１１１乃至Ｓ１１３の処理が繰り返されたか否かを判定し、繰り返されていない場合、処理は、ステップＳ１１１に戻る。そして、ステップＳ１１４において、ステップＳ１１１乃至Ｓ１１３の処理が繰り返された場合、処理は、終了する。
【００７２】
また、ステップＳ１１２において、無線ルータ１２１の基地情報取得部１２１ａが携帯電話機の基地局のいずれとも通信ができない状態であり、基地情報が取得できないとき、ステップＳ１１３の処理はスキップされる。
【００７３】
すなわち、以上の処理により、無線ルータ１２１の基地情報取得部１２１ａにより所定回数だけ基地情報の取得が繰り返されて、取得された基地局のIDの情報からなる基地情報が位置情報として取得される。
【００７４】
ここで、図６のフローチャートの説明に戻る。
【００７５】
上述したように、ステップＳ９１の処理により、基地情報が位置情報として取得されると、ステップＳ９２において、送信部１０５は、位置情報メモリ１０７より位置情報としての基地情報を読み出し、位置情報取得要求に応じた送信電文のヘッダ部に設定し、送信バッファ１０５ａに格納する。
【００７６】
ステップＳ９３において、送信部１０５は、予め登録されている遊技店１の店舗名を送信電文のヘッダ部に設定して、送信バッファ１０５ａに格納する。
【００７７】
ステップＳ９４において、送信部１０５は、送信バッファ１０５ａに格納されている、位置情報取得要求に応じた送信電文を無線ルータ１２１に供給して、第３者遊技店管理センタ４に送信させる。
【００７８】
ステップＳ９５において、送信部１０５は、無線ルータ１２１に問い合わせて、送信電文の送信が正常に完了したか否かを判定する。ステップＳ９５において、正常に送信電文が送信できた場合、ステップＳ９６において、送信部１０５は、無線ルータ１２１より正常送信完了を示す戻り値を取得する。一方、ステップＳ９５において、正常に送信電文が送信できない場合、ステップＳ９７において、送信部１０５は、無線ルータ１２１より正常送信完了ではない、異常送信完了を示す戻り値を取得する。
【００７９】
以上の処理により、位置情報として通信可能な携帯電話機の基地局のIDの情報からなる基地情報を取得し、位置情報として第３者遊技店管理センタ４に送信する。
【００８０】
ここで、図３のフローチャートの説明に戻る。
【００８１】
一方、ステップＳ３２の位置情報送信処理により、位置情報が送信されると、第３者遊技店管理センタでは、処理が、ステップＳ３に進む。
【００８２】
ステップＳ３において、受信部１５１は、受信バッファ１５１ａに無線ルータ１５０により遊技店１の生体情報認識装置２１より受信されたデータが格納されているか否かを判定する。ステップＳ３において、例えば、ステップＳ３２の処理により位置情報を含む送信電文が送信されてくることにより、無線ルータ１５０が送信電文を受信して、受信バッファ１５１ａに受信データとして格納した場合、受信バッファ１５１ａに受信データが格納されているものとみなされ、処理は、ステップＳ４に進む。
【００８３】
ステップＳ４において、受信部１５１は、データチェック処理を実行し、受信バッファ１５１ａに格納されている受信データが正常なデータであるか否かをチェックする。
【００８４】
［データチェック処理］
ここで、図８のフローチャートを参照して、データチェック処理について説明する。
【００８５】
ステップＳ１２１において、受信部１５１は、無線ルータ１５０で受信されたデータとして受信バッファ１５１ａに格納されているデータを読み出す。
【００８６】
ステップＳ１２２において、受信部１５１は、受信電文のコマンドが有効であるか否かを判定する。今の場合、受信電文は、位置情報を含む電文であるので、受信電文のコマンドは有効であるとみなし、処理は、ステップＳ１２３に進む。一方、受信電文が有効ではない場合、処理は、ステップＳ１２７に進む。
【００８７】
ステップＳ１２３において、受信部１５１は、受信電文のサイズ、すなわち、データ長が正常のサイズであるか否かを判定し、正常であるとみなした場合、処理は、ステップＳ１２４に進む。一方、受信電文のサイズが正常ではないとみなした場合、処理は、ステップＳ１２７に進む。
【００８８】
ステップＳ１２４において、受信部１５１は、受信電文のヘッダ部に店舗名を示す情報が含まれているか否かを判定する。この例においては、位置情報送信処理において、ステップＳ９３（図６）の処理により、店舗名がヘッダ部に登録されているので、店舗名の情報は含まれているものとみなされ、処理は、ステップＳ１２５に進む。一方、店舗名の情報が含まれていないとみなされた場合、処理は、ステップＳ１２７に進む。
【００８９】
ステップＳ１２５において、受信部１５１は、受信電文のヘッダ部に含まれる位置情報が自らで（第３者遊技店管理センタ４で）管理すべき地域の範囲内であるか否かを判定する。すなわち、マーケティング情報である場合、管理すべき地域があるため、例えば、管理すべき地域が関東地方のみであれば、関東地方に属する地域の位置情報については、自らで管理すべき地域の範囲内であるとみなされ、処理は、ステップＳ１２６に進む。一方、自らで管理すべき地域の範囲内ではないとみなされた場合、処理は、ステップＳ１２７に進む。
【００９０】
ステップＳ１２６において、受信部１５１は、受信電文のデータが正常であることを示す値を戻り値に設定する。すなわち、受信電文のコマンドが有効であり、サイズが正常であり、店舗名が含まれており、かつ、位置情報が自らの管理すべき地域内であることが確認されたとき、受信電文のデータが正常であるとみなされる。
【００９１】
一方、ステップＳ１２７において、受信部１５１は、受信電文のデータが正常ではないことを示す値を戻り値に設定する。すなわち、受信電文のコマンドが有効でないか、サイズが正常でないか、店舗名が含まれていないか、または、位置情報が自らの管理すべき地域内でないことが確認されたとき、受信電文のデータが正常ではないものとみなされる。
【００９２】
ここで、図３のフローチャートの説明に戻る。
【００９３】
ステップＳ４において、データチェック処理により受信電文となるデータが正常であるか否かがチェックされると、ステップＳ５において、電文解析部１５２は、データチェック処理の判定結果に基づいて、データが正常であったか否かを判定する。
【００９４】
ステップＳ５において、データチェック処理の戻り値が正常であることを示す場合、受信データが正常であったものとみなし、処理は、ステップＳ６に進む。
【００９５】
ステップＳ６において、電文解析部１５２は、受信電文別処理を実行し、受信電文の種別毎の処理を実行する。
【００９６】
［受信電文別処理］
ここで、図９のフローチャートを参照して、受信電文別処理について説明する。
【００９７】
ステップＳ１４１において、電文解析部１５２は、受信電文を受信部１５１の受信バッファ１５１ａより読み出す。
【００９８】
ステップＳ１４２において、電文解析部１５２は、受信電文が位置情報を登録するための電文であるか否かを判定する。今の例においては、受信電文が位置情報を登録するための電文であるので、受信電文が位置情報を登録するための電文であるとみなされ、処理は、ステップＳ１５３に進む。
【００９９】
ステップＳ１５３において、電文解析部１５２は、受信電文のヘッダ部に登録されている店舗名、位置情報、および、その位置情報に対応する地区名を位置情報として、管理テーブルを管理データベース１５６に、マーケティングデータを蓄積するファイルを第３者遊技店管理データベース５に設定し、管理テーブルにそのファイルのパステーブルを登録する。
【０１００】
ここで、管理データベース１５６に登録される管理テーブルは、例えば、図１０で示されるようなものである。図１０の上段においては、店舗名に対応付けて、地区名、および位置情報である基地局のIDである基地IDを登録した管理テーブルの例が示されており、その下には、基地IDと、それぞれの基地IDの位置である緯度経度の情報を登録した基地IDテーブルの例が示されている。更にその下には、地区名に対応付けて、登録されるべきマーケティングデータを蓄積するファイルの格納位置を示すパスが登録されたパステーブルの例が示されている。
【０１０１】
図１０の上段で示されるように、管理テーブルには、左から店舗名欄、地区名欄、および位置情報欄が登録されている。図１０においては、店舗名として上から、パーラー新宿、パーラー池袋、およびパーラー上野が登録されており、地区名として上から、新宿地区、池袋地区、および上野地区と登録されている。そして、位置情報欄には、店舗毎に左詰で対応する携帯電話機の基地局を識別する基地IDからなる基地情報が登録されている。すなわち、図１０においては、店舗名が「パーラー新宿」の遊技店１が、新宿地区に属しており、対応する位置情報が基地ID＝ID１乃至ID４であることが示されている。また、店舗名が「パーラー池袋」の遊技店１が、池袋地区に属しており、対応する位置情報が基地ID＝ID４乃至ID６であることが示されている。さらに、店舗名が「パーラー上野」の遊技店１が、上の地区に属しており、対応する位置情報が基地ID＝ID３乃至ID５，ID７であることが示されている。
【０１０２】
これは、例えば、図１１で示されるような位置関係となることが表現されている。すなわち、図１１は、パーラー新宿、パーラー池袋、およびパーラー上野の空間的な配置を示す鳥瞰図であり、楕円状で示された範囲が基地ID＝ID１乃至ID７のそれぞれの基地局で通信が可能なエリアを示す基地エリアID１乃至ID７である。すなわち、パーラー新宿は、図１１で示されるように、基地ID１乃至ID４で識別される基地局で通信可能な範囲を示す楕円状の基地エリアID１乃至ID４の範囲内に存在する。また、パーラー池袋は、図１１で示されるように、基地ID４乃至ID６で識別される基地局で通信可能な範囲を示す楕円状の基地エリアID４乃至ID６の範囲内に存在する。さらに、パーラー上野は、図１１で示されるように、基地ID３乃至ID５，ID７で識別される基地局で通信可能な範囲を示す楕円状の基地エリアID３乃至ID５，ID７の範囲内に存在する。
【０１０３】
さらに、図１０の中段の基地IDテーブルには、左から基地ID欄、緯度欄、および経度欄が設けられており、それぞれの基地IDで識別される基地局の位置が緯度経度で登録されている。すなわち、図１０の場合、基地ID＝ID１の基地局は、緯度35度30分、経度136度76分であることが示されており、同様に、基地ID＝ID２の基地局は、緯度35度31分、経度136度76分であり、基地ID＝ID３の基地局は、緯度35度30分、経度136度75分であることが示されている。
【０１０４】
さらに、図１０の下段で示されるパステーブルには、左から地区名欄、およびファイルパス名欄が設けられており、第３者遊技店管理DB５に登録されたそれぞれの地区のファイルのパス名が登録されている。すなわち、図１０においては、新宿地区のマーケティングデータのファイルが、「c:/MarcketingData/sinjuku/201008/20100801_Data.csv」に、池袋地区のマーケティングデータのファイルが、「c:/MarcketingData/ikebukuro/201008/20100801_Data.csv」に、上野地区のマーケティングデータのファイルが、「c:/MarcketingData/ueno/201008/20100801_Data.csv」に登録されていることが示されている。
【０１０５】
ここで、図９のフローチャートの説明に戻る。ステップＳ１５４において、電文解析部１５２は、位置情報が正常に送信され、登録されたことを示す情報を応答電文として送信部１５５の送信バッファ１５５ａにセットする。
【０１０６】
すなわち、以上の処理により、新規に登録する遊技店の店舗名、位置情報、およびマーケティングデータの格納ファイルが登録される。
【０１０７】
一方、ステップＳ１４２において、位置情報の登録ではないと判定された場合、すなわち、後述するマーケティングデータやマーケティングデータ取得要求である場合、処理は、ステップＳ１４３に進む。
【０１０８】
ステップＳ１４３において、電文解析部１５２は、受信電文であるデータのヘッダ部に含まれている店舗名および位置情報が、管理データベース１５６に予め登録済みの店舗名および位置情報と一致するか否かを判定する。すなわち、電文解析部１５２は、データのヘッダ部より店舗名と位置情報とを読み出し、管理データベース１５６を検索し、一致するものが存在するか否かを検索する。この際、図１０の上段で示されるように、基地IDが複数に登録されている場合、そのいずれかが一致すればよいものとしてもよいし、全ての基地IDが一致しなければ、一致しないものとしても良い。尚、この例においては、いずれかの基地IDが一致すれば、位置情報が一致したものとみなす。
【０１０９】
ステップＳ１４４において、店舗名に対応する位置情報が一致した場合、処理は、ステップＳ１４４に進む。
【０１１０】
ステップＳ１４４において、電文解析部１５２は、データのヘッダ部に含まれている位置情報のうち、管理データベース１５６に未登録の基地IDが存在するか否かを判定する。すなわち、遊技店１にて通信可能な基地局は、複数に存在することもあり、この結果、管理データベース１５６に予め複数の位置情報が登録されることもある。しかしながら、位置情報を登録する際には通信できなかったが、後のマーケティングデータやマーケティングデータ取得要求を送信する際に、通信可能となる基地局の基地IDが、受信電文のヘッダ部に含まれる可能性がある。そこで、ステップＳ１４４においては、このような未登録の基地IDがヘッダ部に含まれているか否かが判定される。
【０１１１】
ステップＳ１４４において、未登録の基地情報である未登録の基地IDが含まれている場合、処理は、ステップＳ１４５に進む。
【０１１２】
ステップＳ１４５において、電文解析部１５２は、管理DB１５６に一致しているとみなされた店舗名に対応する基地ID欄に未登録の基地IDを追加して登録する。一方、ステップＳ１４４において、未登録の基地情報が存在しない場合、ステップＳ１４４の処理はスキップされる。
【０１１３】
ステップＳ１４６において、電文解析部１５２は、受信電文がマーケティングデータであるか否かを判定する。ステップＳ１４６において、受信電文が、例えば、図１５のフローチャートを参照して後述するマーケティングデータ送信処理により送信されてくるマーケティングデータである場合、処理は、ステップＳ１４７に進む。
【０１１４】
ステップＳ１４７において、電文解析部１５２は、受信したマーケティングデータを登録部１５３に供給する。そして、登録部１５３は、管理データベース１５６のパステーブルに基づいて、ヘッダ部の位置情報に対応する地区名に対応付けて登録されているパスにより特定される第３者遊技店管理DB５のファイルに、受信したマーケティングデータを合算させて、記憶させる。
【０１１５】
ステップＳ１４８において、登録部１５３は、送信部１５５の送信バッファ１５５ａにマーケティングデータが正常に登録されたことを示す応答電文をセットする。
【０１１６】
また、ステップＳ１４６において、マーケティングデータではないと判定された場合、処理は、ステップＳ１４９に進む。
【０１１７】
ステップＳ１４９において、電文解析部１５２は、受信電文が、マーケティングデータ取得要求であるか否かを判定する。ステップＳ１４９において、受信電文が、例えば、図１６のフローチャートを参照して後述するマーケティングデータ取得要求送信処理により送信されてくるマーケティングデータ取得要求の場合、処理は、ステップＳ１５０に進む。
【０１１８】
ステップＳ１５０において、電文解析部１５２は、管理データベース１５６にアクセスし、問い合わせのあった遊技店の店舗名と対応して登録されている地区名のマーケティングデータが蓄積されたファイルが格納されているパスをパステーブルより読み出し、読み出したパスの情報をデータ作成部１５４に供給する。データ作成部１５４は、供給されてきたパスの情報に基づいて、第３者遊技店管理DB５にアクセスし、マーケティングデータが蓄積されたファイルを検索して読み出す。
【０１１９】
ステップＳ１５１において、データ作成部１５４は、店舗名に対応付けて登録されている地区名のマーケティングデータが蓄積されたファイルを読み出し、集計した上で、応答電文を作成し、送信部１５５の送信バッファ１５５ａにセットする。
【０１２０】
また、ステップＳ１４３において、ヘッダ部の位置情報と、予め登録されていた位置情報とが一致しない、すなわち、予め登録された店舗名に対応付けられて登録された位置情報である基地局を識別する基地IDが、受信電文のヘッダ部の位置情報である基地IDと一致しない場合、または、ステップＳ１４９において、マーケティングデータ取得要求ではない場合、処理は、ステップＳ１５２に進む。
【０１２１】
ステップＳ１５２において、電文解析部１５２は、送信部１５５の送信バッファ１５５ａに送信されてきた電文が異常であることを示す応答電文をセットする。
【０１２２】
以上の処理により、位置情報、マーケティングデータ、およびマーケティングデータ取得要求といった受信電文別の処理が実現されて、それぞれ応答電文が送信部１５５の送信バッファ１５５ａにセットされる。この際、マーケティングデータ、およびマーケティングデータ取得要求といったいずれの受信電文でも、ヘッダ部の店舗名と位置情報とが予め登録された情報と一致しない限り受け付けられないので、マーケティングデータ、およびマーケティングデータ取得要求のいずれにおいても、無線ルータ１２１が店舗間で深刻もなく移動されて使用されるようなことがあっても、マーケティングデータとして蓄積されないように、蓄積しようとするマーケティングデータを認証することができるようになるので、マーケティングデータの地域毎の信頼性を向上させることが可能となる。また、マーケティングデータ取得要求に対しても同様であるため、各遊技店１は、所属する地区名に該当するマーケティングデータの集計情報のみしか取得できないようにすることが可能となる。
【０１２３】
ここで、図３のフローチャートの説明に戻る。
【０１２４】
ステップＳ６の処理により受信電文別処理が実行されると、ステップＳ８において、送信部１５５は、無線ルータ１５０を制御して、送信バッファ１５５ａにセットされている応答電文を送信してきた遊技店１の生体情報認識装置２１に送信させる。
【０１２５】
一方、ステップＳ５において、データチェック処理によりデータが正常ではないと判定された場合、ステップＳ７において、電文解析部１５２は、送信されてきたデータが正常ではないことを示す応答電文を送信部１５５の送信バッファ１５５ａにセットし、処理は、ステップＳ８に進む。
【０１２６】
このように遊技店１の生体情報認識装置２１からの送信電文に対しての応答電文が送信されると、生体情報認識装置２１の処理が実行される。
【０１２７】
すなわち、ステップＳ３２の処理により、位置情報送信処理が実行されて、その送信電文に対する応答電文が送信されてくると、ステップＳ３３において、送信部１０５において、戻り値が正常送信完了であって、かつ、受信部１０９は、無線ルータ１２１が受信し、受信バッファ１０９ａにセットしている第３者遊技店管理センタ４より送信されてきている応答電文が正常であるか否かにより、位置情報の送信が正常に完了したか否かを判定する。
【０１２８】
ステップＳ３３において、例えば、ステップＳ９６（図６）の処理により正常送信完了を示す戻り値を取得し、かつ、第３者遊技店管理センタ４からの応答電文として正常を示す電文が受信された場合、正常送信完了であったものとみなし、処理は、ステップＳ３４に進む。
【０１２９】
ステップＳ３４において、送信部１０５は、正常送信完了を示す情報を表示部２３に表示させる。この処理により、位置情報取得要求に応じた位置情報の送信が完了したことが示される。
【０１３０】
また、ステップＳ３３において、例えば、ステップＳ９７（図６）の処理により異常送信完了を示す戻り値を取得したか、または、第３者遊技店管理センタ４からの応答電文として異常を示す電文が受信された場合、正常送信完了ではなかったものとみなし、処理は、ステップＳ３５に進む。
【０１３１】
ステップＳ３５において、送信部１０５は、異常送信完了を示す情報を表示部２３に表示させる。この処理により、位置情報取得要求に応じた位置情報の送信が完了していないことが示される。
【０１３２】
以上の処理により、登録操作に基づいた一連の処理により、店舗名、地区名、および位置情報が登録される。尚、ステップＳ１において、登録操作がない場合、ステップＳ２の登録処理がスキップされる。また、ステップＳ２の処理がスキップされることにより、位置情報取得要求が第３者遊技店管理センタ４より送信されることがないため、ステップＳ３１において、位置情報取得要求がないものとみなされて、ステップＳ３２乃至Ｓ３５の処理がスキップされることになる。
【０１３３】
ステップＳ３６において、生体情報認識装置２１は、カメラ画像処理を実行し、順次カメラにより撮像された画像から顔画像を抽出し、生体情報DB２２に登録されていない顔画像を順次生体情報DB２２に登録する。
【０１３４】
［カメラ画像処理］
ここで、図１２のフローチャートを参照して、カメラ画像処理について説明する。
【０１３５】
ステップＳ１６１において、入口カメラ４０（または、店内カメラ４１）は、設置されている範囲の画像を撮像し、撮像した画像を画像処理ユニット３９に供給する。画像処理ユニット３９は、供給された画像を取得する。
【０１３６】
ステップＳ１６２において、画像処理ユニット３９は、供給された画像より遊技者の顔画像を抽出する。より具体的には、画像処理ユニット３９は、撮像された画像のうち顔画像の輪郭に対応した基準テンプレートを用いたテンプレートマッチングにより矩形状の顔画像を抽出する。尚、画像処理ユニット３９は、撮像された画像のうち、配色などから肌が露出した部分であって、目や鼻といった特徴的な部位の配置などから矩形状の顔画像を抽出するようにしてもよいし、顔の器官（目、鼻、耳など）に基づいてテンプレートマッチング、または、クロマキー処理によって頭部などの頂点を検出し、ニューラルネットワークを使って教師信号による学習を行い、顔らしい領域を顔画像として検出するといった手法により顔画像を抽出するようにしてもよい。
【０１３７】
ステップＳ１６３において、生体情報認識装置２１の顔画像取得部１０１は、画像処理ユニット３９により抽出結果を取得する。
【０１３８】
ステップＳ１６４において、顔画像取得部１０１は、画像処理ユニット３９からの抽出結果に顔画像が存在するか否かを判定する。すなわち、撮像される画像内に顔画像が存在しない可能性もあるため、抽出結果に顔画像が存在するか否かを判定する。
【０１３９】
ステップＳ１６４において、例えば、画像処理ユニット３９の抽出結果に顔画像が存在しないと判定された場合、処理は終了する。
【０１４０】
一方、ステップＳ１６４において、画像処理ユニット３９の抽出結果に顔画像が存在するとみなされた場合、処理は、ステップＳ１６５に進む。
【０１４１】
ステップＳ１６５において、顔画像取得部１０１は、取得した顔画像を照合部１０２に供給する。照合部１０２は、供給されてきた顔画像より特徴量を抽出する。
【０１４２】
ステップ１６６において、照合部１０２は、生体情報DB２２に登録されている全ての顔画像について、抽出された顔画像と同種類の特徴量を抽出し、類似度を計算する。すなわち、照合部１０２は、抽出された顔画像についての、目と目の間隔、あごから額までの長さと、あごから鼻のまでの長さの比率などの各種の顔の特徴量と、生体情報DB２２に登録されている顔画像における同様の特徴量とを用いて、それぞれの差分和、平均比率、または比率和などを類似度として計算する。
【０１４３】
ステップＳ１６７において、照合部１０２は、計算した類似度の計算結果に基づいて順位を求め、生体情報DB２２に登録されている顔画像のうちの最上位の類似度が所定の閾値よりも小さいか否かを判定する。すなわち、照合部１０２は、最も類似している顔画像の類似度を所定の閾値と比較する。
【０１４４】
尚、上述のように、類似度の定義により、撮像された顔画像と最も類似している登録遊技者の顔画像との類似度は、その値そのものが最も高いとは限らないため、類似度と閾値との大小関係はこの例の場合とは異なることがある。
【０１４５】
ステップＳ１６７において、最上位の類似度が所定の閾値よりも小さいと判定された場合、ステップＳ１６８において、照合部１０２は、抽出された顔画像は、未登録の顔画像であるものとみなし、生体情報DB２２に登録すると共に、解析部１０３に供給する。
【０１４６】
ステップＳ１６９において、解析部１０３は、顔画像より髪型、シワ、シミ、表情の種別などの情報を解析し、例えば、顔画像の人物の性別、年齢、および表情種別を特徴情報として抽出し、マーケティングデータを生成するための原始データとしてマーケティングデータDB１０４に登録する。
【０１４７】
以上の処理により、順次、生体情報DB２２に未登録の顔画像が取得されると、生体情報DB２２に登録すると共に、未登録の顔画像を解析し、解析結果をマーケティングデータの原始データとしてマーケティングデータDB１０４に登録することが可能となる。
【０１４８】
ここで、図３のフローチャートの説明に戻る。
【０１４９】
ステップＳ３６において、カメラ画像処理によりマーケティングデータの原始データが生成されると、ステップＳ３７において、解析部１０３は、今現在が営業時間内であるか否かを判定する。ステップＳ３７において、例えば、営業時間内であると判定された場合、処理は、ステップＳ３８に進む。
【０１５０】
ステップＳ３８において、解析部１０３は、マーケティングデータ作成処理を実行し、マーケティングデータDB１０４に蓄積されている原始データからマーケティングデータを作成する。
【０１５１】
［マーケティングデータ作成処理］
ここで、図１３のフローチャートを参照して、マーケティングデータ作成処理について説明する。
【０１５２】
ステップＳ１７１において、位置情報取得部１０６は、無線ルータ１２１を制御して位置情報を取得して、取得した位置情報を位置情報メモリ１０７に記憶させる。尚、この位置情報の取得については、図７のフローチャートを参照して説明した基地情報取得処理と同様であるので、その説明は省略する。
【０１５３】
ステップＳ１７２において、解析部１０３は、位置情報メモリ１０７にアクセスし、位置情報が取得できたか否かを判定する。すなわち、位置情報は、通信可能な携帯電話機の基地局の基地IDであるため、通信可能な基地局が存在しない場合、取得できない恐れがある。そこで、ステップＳ１７２の処理により、位置情報である通信可能な基地局を識別する基地IDが取得できたか否かが判定される。
【０１５４】
ステップＳ１７２において、例えば、位置情報が取得されていると判定された場合、処理は、ステップＳ１７３に進む。
【０１５５】
ステップＳ１７３において、解析部１０３は、取得した位置情報と店舗名の情報をマーケティングデータのヘッダ部にセットする。
【０１５６】
ステップＳ１７４において、解析部１０３は、マーケティングデータのデータ部に上述したカメラ画像処理により作成された原始データを格納することによりマーケティングデータを作成し、マーケティングデータDB１０４の所定の位置となるフォルダに格納する。
【０１５７】
ステップＳ１７５において、解析部１０３は、作成したマーケティングデータに基づいて、マーケティングデータDB１０４に含まれるマーケティング作成履歴のファイルパス欄に作成したマーケティングデータを格納したフォルダを指定するファイルパスをセットする。
【０１５８】
ステップＳ１７６において、解析部１０３は、作成したマーケティングデータに基づいて、マーケティングデータDB１０４に含まれるマーケティング作成履歴の状態欄に作成したマーケティングデータの状態情報として「未送信」をセットする。
【０１５９】
すなわち、マーケティングデータ作成履歴は、例えば、図１４で示されるようなものである。図１４のマーケティングデータ作成履歴においては、左から、日付欄、状態欄、ファイル種別欄、条件欄、およびファイルパス欄が設けられている。すなわち、日付欄は、「2010/6/1」、および「2010/6/2」と記録されており、データが上からそれぞれ2010年6月1日、および2010年6月2日に登録されたファイルであることが示されている。また、状態欄は、上から「送信済み」、および「未送信」と記録されており、2010年6月1日付けで登録されたマーケティングデータが既に、図１５のフローチャートを参照して後述するマーケティングデータ送信処理により第３者遊技店管理センタ４に送信済みであるが、2010年6月2日付けで登録されたマーケティングデータは、第３者遊技店管理センタ４に未送信であることが示されている。また、ファイル種別欄には、「実人数ファイル」と記録されており、いずれのファイルも実際の人数を記録したファイルであることが示されている。また、条件欄には、閾値欄、およびカメラID欄が設けられており、それぞれ「550」、および「１−３」と登録されており、それぞれのマーケティングデータが、顔画像の類似度が1乃至1000ポイントで求められるとき、閾値として使用された値が550ポイントであることが示され、いずれの顔画像もカメラID＝１−３で分類されるカメラ４０（または４１）により撮像されたものであることが示されている。さらに、ファイルパス欄においては、上から、「c:/MarcketingData/201006/20100601_Data1.csv」、および「c:/MarcketingData/201006/20100602_Data1.csv」と登録されており、それぞれのファイルが登録されているパスが示されている。
【０１６０】
以上の処理により、順次、生体情報DB２２に未登録の顔画像が取得されると、生体情報DB２２に登録されると共に、未登録の顔画像を解析し、解析結果である原始データがマーケティングデータDB１０４に登録され、さらに、マーケティングデータが作成されて、マーケティング作成履歴が更新されて記録される。
【０１６１】
ここで、図３のフローチャートの説明に戻る。
【０１６２】
一方、ステップＳ３７において、営業時間外ではないとみなされた場合、ステップＳ３８の処理はスキップされる。
【０１６３】
ステップＳ３９において、送信部１０９は、マーケティングデータDB１０４のマーケティングデータ作成履歴にアクセスし、未処理のマーケティングデータが存在するか否かを判定する。すなわち、送信部１０９は、例えば、図１４のマーケティングデータ作成履歴における状態欄の情報を読み出し、未送信のものがあるか否かを判定する。
【０１６４】
ステップＳ３９において、例えば、図１４のマーケティング作成履歴で示されるように、2010年6月2日付けのマーケティングデータが格納されたファイルについては、状態欄に「未送信」と記録されているので、未送信のマーケティングデータが存在するものとみなされ、処理は、ステップＳ４０に進む。
【０１６５】
ステップＳ４０において、位置情報取得部１０６は、位置情報取得処理を実行して、無線ルータ１２１を制御して、位置情報として、通信可能な基地局を識別する基地IDを取得させる。尚、位置情報取得処理については、図７のフローチャートを参照して説明した基地情報取得処理そのものであるので、その説明は省略するものとする。
【０１６６】
ステップＳ４１において、送信部１０５は、無線ルータ１２１を制御して、マーケティングデータ送信処理を実行し、マーケティングデータDB１０４より未送信として登録されているマーケティングデータのファイルを第３者遊技店管理センタ４に送信させる。
【０１６７】
［マーケティングデータ送信処理］
ここで、図１５のフローチャートを参照して、マーケティングデータ送信処理について説明する。
【０１６８】
ステップＳ２０１において、送信部１０５は、位置情報取得処理により位置情報メモリ１０７に記憶されている位置情報を取得する。
【０１６９】
ステップＳ２０２において、送信部１０５は、位置情報が取得できたか否かを判定する。すなわち、位置情報は、通信可能な携帯電話機の基地局の基地IDであるため、通信可能な基地局が存在しない場合、取得できない恐れがある。そこで、ステップＳ２０２の処理により、位置情報である通信可能な基地局を識別する基地IDが取得できたか否かが判定される。
【０１７０】
ステップＳ２０２において、例えば、位置情報が取得されていると判定された場合、処理は、ステップＳ２０３に進む。
【０１７１】
ステップＳ２０３において、送信部１０５は、送信電文のヘッダ部に取得した位置情報と店舗名の情報をセットする。
【０１７２】
ステップＳ２０４において、送信部１０５は、マーケティングデータ作成履歴のパスの情報に基づいて、マーケティングデータが蓄積されたファイルを読み出し、マーケティングデータからなるファイルを送信電文にデータ部にセットし、送信電文を送信バッファ１０５ａにセットする。
【０１７３】
ステップＳ２０５において、送信部１０５は、無線ルータ１２１に送信バッファ１０５ａにセットされている送信電文を供給する。
【０１７４】
ステップＳ２０６において、送信部１０５は、無線ルータ１２１を制御して、送信電文を第３者遊技店管理センタ４に送信させる。
【０１７５】
ステップＳ２０７において、送信部１０５は、無線ルータ１２１に問い合わせて、送信電文が正常に送信できたか否かを判定し、正常に送信できたことが確認できた場合、ステップＳ２０８において、正常送信完了を示す戻り値を設定する。
【０１７６】
一方、ステップＳ２０７において、正常に送信できたことが確認できなかった場合、ステップＳ２０９において、送信部１０５は、送信異常を示す戻り値を設定する。
【０１７７】
また、ステップＳ２０２において、位置情報が取得できなかった場合、処理は、ステップＳ２０９に進む。
【０１７８】
すなわち、以上の処理により、未送信データのマーケティングデータがマーケティングデータDB１０４に登録されていると、未送信のマーケティングデータが、第３者遊技店管理センタ４に送信される。
【０１７９】
この処理により、ステップＳ３の処理で受信電文としてマーケティングデータが受信され、ステップＳ４におけるデータチェック処理によりデータが正常である場合、ステップＳ６において、図９の受信電文別処理におけるステップＳ１４７の処理により、マーケティングデータが、第３者遊技店管理DB５に登録される。そして、マーケティングデータが正常に登録されたか否かを示す応答電文が第３者遊技店管理センタ４から生体情報認識装置２１に送信されることになる。
【０１８０】
そして、ステップＳ４２において、送信部１０５において、マーケティングデータを送信することによる戻り値が正常送信完了であって、かつ、受信部１０９において、無線ルータ１２１が受信し、受信バッファ１０９ａにセットしている第３者遊技店管理センタ４より送信されてきている応答電文が正常であるか否かにより、位置情報の送信が正常に完了したか否かが判定される。
【０１８１】
ステップＳ４２において、例えば、ステップＳ２０８（図１５）の処理により正常送信完了を示す戻り値を取得し、かつ、第３者遊技店管理センタ４からの応答電文として正常を示す電文が受信された場合、正常送信完了であったものとみなされ、処理は、ステップＳ４３に進む。
【０１８２】
ステップＳ４３において、解析部１０３は、マーケティングデータ作成履歴の状態欄を未送信から送信済みに更新する。
【０１８３】
ステップＳ４４において、送信部１０５は、マーケティングデータの正常送信完了を示す情報を表示部２３に表示させる。この処理により、マーケティングデータの送信が完了したことが示される。
【０１８４】
また、ステップＳ４２において、例えば、ステップＳ２０９（図１５）の処理により異常送信完了を示す戻り値が取得されたか、または、第３者遊技店管理センタ４からの応答電文として異常を示す電文が受信された場合、正常送信完了ではなかったものとみなされ、処理は、ステップＳ４５に進む。
【０１８５】
ステップＳ４５において、送信部１０５は、マーケティングデータの送信失敗を示す情報を表示部２３に表示させる。この処理により、マーケティングデータの送信が失敗したことが示される。
【０１８６】
尚、ステップＳ３９において、未送信のマーケティングデータが存在しない場合、ステップＳ４０乃至Ｓ４５の処理がスキップされる。
【０１８７】
以上の処理により、生体情報認識装置２１においてマーケティングデータが作成されると順次第３者遊技店管理センタ４に送信されて、第３者遊技店管理DB５に蓄積される。この際、マーケティングデータに含まれている位置情報が、予め登録された位置情報と一致するか否かが判定されることにより、認証されることになるため、位置情報が登録されたものと一致したマーケティングデータのみが確実に第３者遊技店管理DB５に蓄積されることになるため、地域別に集計されるマーケティングデータの信頼性を向上させることが可能となる。
【０１８８】
ここで、図３のフローチャートの説明に戻る。
【０１８９】
ステップＳ４４，Ｓ４５において、マーケティングデータ送信処理の結果が表示されると、処理は、ステップＳ４６（図４）に進む。
【０１９０】
ステップＳ４６（図４）において、送信部１０９は、操作部１０８が操作されてマーケティングデータの表示要求がなされたか否かを判定する。すなわち、操作部１０８が操作されて、生体情報認識装置２１の遊技店１におけるマーケティングデータの集計結果の表示が要求されたか否かが判定される。
【０１９１】
ステップＳ４６において、例えば、操作部１０８が操作されて、マーケティングデータの集計結果の表示がされると、処理は、ステップＳ４７に進む。
【０１９２】
ステップＳ４７において、位置情報取得部１０６は、無線ルータ１２１を制御して、位置情報取得処理を実行し、位置情報として通信可能な基地局を識別する基地IDを取得させる。尚、位置情報取得処理については、図７のフローチャートを参照して説明した基地情報取得処理そのものであるので、その説明は省略するものとする。
【０１９３】
ステップＳ４８において、送信部１０５は、無線ルータ１２１を制御して、マーケティングデータ取得要求送信処理を実行し、マーケティングデータ取得要求を第３者遊技店管理センタ４に送信させる。
【０１９４】
［マーケティングデータ取得要求送信処理］
ここで、図１６のフローチャートを参照して、マーケティングデータ取得要求送信処理について説明する。
【０１９５】
ステップＳ２４１において、送信部１０５は、位置情報取得処理により位置情報メモリ１０７に記憶されている位置情報を取得する。
【０１９６】
ステップＳ２４２において、送信部１０５は、位置情報が取得できたか否かを判定する。
【０１９７】
ステップＳ２４２において、例えば、位置情報が取得されていると判定された場合、処理は、ステップＳ２４３に進む。
【０１９８】
ステップＳ２４３において、送信部１０５は、送信電文のヘッダ部に取得した位置情報と店舗名の情報をセットする。
【０１９９】
ステップＳ２４４において、送信部１０５は、マーケティングデータ取得要求となる送信電文を送信バッファ１０５ａにセットする。
【０２００】
ステップＳ２４５において、送信部１０５は、無線ルータ１２１に送信バッファ１０５ａにセットされているマーケティングデータ取得要求からなる送信電文を供給する。
【０２０１】
ステップＳ２４６において、送信部１０５は、無線ルータ１２１を制御して、マーケティングデータ取得要求からなる送信電文を第３者遊技店管理センタ４に送信させる。
【０２０２】
ステップＳ２４７において、送信部１０５は、無線ルータ１２１に問い合わせて、マーケティングデータ取得要求からなる送信電文が正常に送信できたか否かを判定し、正常に送信できたことが確認できた場合、ステップＳ２４８において、正常送信完了を示す戻り値を設定する。
【０２０３】
一方、ステップＳ２４７において、正常に送信できたことが確認できなかった場合、ステップＳ２４９において、送信部１０５は、送信異常を示す戻り値を設定する。
【０２０４】
また、ステップＳ２４２において、位置情報が取得できなかった場合、処理は、ステップＳ２４９に進む。
【０２０５】
すなわち、以上の処理により、マーケティングデータの集計結果の表示が要求されると、マーケティングデータ取得要求が、店舗名、および位置情報と共に第３者遊技店管理センタ４に送信される。
【０２０６】
この処理により、ステップＳ３の処理で受信電文としてマーケティングデータが受信され、ステップＳ４におけるデータチェック処理によりデータが正常である場合、ステップＳ６において、図９の受信電文別処理におけるステップＳ１５０の処理により、店舗名に基づいて登録されている一致した地域名のマーケティングデータが検索される。そして、ステップＳ１５１の処理により、検索されたマーケティングデータが応答電文として第３者遊技店管理センタ４から生体情報認識装置２１に送信されることになる。
【０２０７】
ステップＳ４９において、送信部１０５において、マーケティングデータ取得要求を送信することによる戻り値が正常送信完了であって、かつ、受信部１０９において、無線ルータ１２１が受信し、受信バッファ１０９ａにセットしている第３者遊技店管理センタ４より送信されてきている応答電文であるマーケティングデータの集計結果が正常に受信されているか否かにより、マーケティングデータ取得要求の送信が正常に完了したか否かが判定される。
【０２０８】
ステップＳ４９において、例えば、ステップＳ２４８（図１６）の処理により正常送信完了を示す戻り値を取得し、かつ、第３者遊技店管理センタ４からの応答電文として遊技店１の地域のマーケティングデータとして検索された情報からなる電文が受信された場合、正常送信完了であったものとみなし、処理は、ステップＳ５０に進む。
【０２０９】
ステップＳ５０において、受信部１０９は、マーケティングデータ取得要求に応じて送信されてきた、同一地域のマーケティングデータを集計して表示部２３に表示させる。この処理により、マーケティングデータの集計結果が、例えば、図１７で示されるように表示される。
【０２１０】
図１７においては、日付毎に表示される集計結果の一例であり、左側に性別および年齢、並びに表情として笑顔のレベルが区別されている。すなわち、図１７の集計結果は、「２０１００８０１」で示されるように、２０１０年８月１日付けのものであることが示されており、操作部１０８により表示する集計結果は日付毎に切り替えて表示することができる。
【０２１１】
また、図１７の集計結果における右側には、対応する時刻の情報とその実人数が示されている。すなわち、左側には、上から「男１８−２９」、「男３０−３９」、「男４０−４９」、「男５０−５９」、「男６０−」、「女１８−２９」、「女３０−３９」、「女４０−４９」、「女５０−５９」、「女６０−」、「笑０−３９」、「笑４０−６９」、および「笑７０−１００」と示されている。これらは、それぞれマーケティングデータとして取得された顔画像のうち、それぞれの解析結果が「１８歳乃至２９歳の男性」、「３０歳乃至３９歳の男性」、「４０歳乃至４９歳の男性、「５０歳乃至５９歳の男性」、「６０歳以上の男性」、「１８歳乃至２９歳の女性」、「３０歳乃至３９歳の女性」、「４０歳乃至４９歳の女性」、「５０歳乃至５９歳の女性」、「６０歳以上の女性」、「笑顔のレベルが０乃至３９の人物」、「笑顔のレベルが４０乃至６９の人物」、および、「笑顔のレベルが７０乃至１００の人物」の顔画像となる人物であることが示されている。尚、笑顔のレベルは、ここでは、０乃至１００ポイントで表示されるものである。また、集計時間帯は左から、９：００乃至１０：００、１０：００乃至１１：００、１１：００乃至１２：００、１２：００乃至１３：００・・・に区分されている。
【０２１２】
すなわち、図１７の集計結果では、９：００乃至１０：００の時間帯において、１８歳乃至２９歳の男性が６人来店し、３０歳乃至３９歳の男性が４人来店し、４０歳乃至４９歳の男性が０人来店し、５０歳乃至５９歳の男性が３人来店し、６０歳以上の男性が１人来店し、１８歳乃至２９歳の女性が１人来店し、３０歳乃至３９歳の女性が０人来店し、４０歳乃至４９歳の女性が２人来店し、５０歳乃至５９歳の女性が１人来店し、６０歳以上の女性が１人来店し、笑顔のレベルが０乃至３９の人物が１７人来店し、笑顔のレベルが４０乃至６９の人物が１人来店し、笑顔のレベルが７０乃至１００の人物が１人来店したことが示されている。
【０２１３】
また、ステップＳ４９において、例えば、ステップＳ２４９（図１６）の処理によりマーケティングデータ取得要求の異常送信完了を示す戻り値を取得したか、または、第３者遊技店管理センタ４からの応答電文として異常を示す電文が受信された場合、マーケティングデータ取得要求の送信が失敗したものとみなし、処理は、ステップＳ５１に進む。
【０２１４】
ステップＳ５１において、送信部１０５は、マーケティングデータ取得要求の送信、または取得の失敗を示す情報を表示部２３に表示させる。この処理により、マーケティングデータ取得要求の送信、または取得が失敗したことが示される。
【０２１５】
ステップＳ５２において、送信部１０５は、操作部１０８が操作されて、マーケティングデータ管理処理の終了が指示されたか否かを判定し、終了が指示されない場合、処理は、ステップＳ３１に戻り、終了が指示されるまで、ステップＳ３１乃至Ｓ５２の処理が繰り返される。そして、ステップＳ５２において、終了が指示された場合、処理は、終了する。
【０２１６】
また、ステップＳ９において、電文解析部１５２は、図示せぬ操作部が操作されて、マーケティングデータ管理処理の終了が指示されたか否かを判定し、終了が指示されない場合、処理は、ステップＳ１に戻り、終了が指示されるまで、ステップＳ１乃至Ｓ９の処理が繰り返される。そして、ステップＳ９において、終了が指示された場合、処理は、終了する。
【０２１７】
以上の処理により、生体情報認識装置２１においてマーケティングデータの表示が要求されると、マーケティングデータ送信要求が第３者遊技店管理センタ４に送信されて、第３者遊技店管理DB５から同一地域のマーケティングデータが検索されて送信される。そして、送信されてきた同一地域のマーケティングデータが集計されて表示されることにより、地域に対応したマーケティングデータを表示させることが可能となり、遊技店１の営業戦略の構築を支援することが可能となる。尚、以上においては、位置情報として基地情報を利用する例について説明してきたが、位置情報であればよいため、例えば、基地情報に代えてGPS（Global Positioning System）情報を利用するようにしても良い。
【０２１８】
＜第２の実施例＞
［監視システムのその他の構成例］
以上においては、位置情報として遊技店１の生体情報認識装置２１の無線ルータ１２１により通信可能な携帯電話機の基地局を識別する基地IDを用いた基地情報のみを用いる例について説明してきたが、この方法では、基地局の位置は容易に取得できるものの、遊技店１の正確な位置は認識できない。そこで、無線ルータ１２１によりGPS（Global Positioning System）情報を得るようにして、位置情報を精度よく取得し、さらに、基地情報と組み合わせて位置情報を構成するようにしてもよい。
【０２１９】
図１８は、位置情報として、上述した基地情報に加えて、GPS情報を利用するようにした遊技店のマーケティングデータ管理システムのその他の構成例を示す図である。尚、図２のマーケティングデータ管理システムと同一の構成については、同一の名称と同一の符号を付しており、その説明は省略するものとする。
【０２２０】
すなわち、図１８のマーケティングデータ管理システムにおいて、図２のマーケティングデータ管理システムと異なるのは、位置情報として基地情報に加えて、GPS情報を利用するため、GPS情報を扱う構成が異なる。より具体的には、生体情報認識装置２１については、無線ルータ１２１には、新たに、GPS情報取得部１２１ｂが設けられ、位置情報取得部１０６、および位置情報メモリ１０７に代えて、位置情報取得部２０１、および位置情報メモリ２０２が設けられている。また、第３者遊技店管理センタ４においては、受信部１５１、電文解析部１５２、登録部１５３、および管理DB１５６に代えて、受信部２２１、電文解析部２２２、登録部２２３、および管理DB２２４が設けられている。
【０２２１】
位置情報取得部２０１、および位置情報メモリ２０２は、基本的な機能においては、位置情報取得部１０６、および位置情報メモリ１０７と同様であるが、位置情報として、基地情報に加えて、GPS情報も扱う。すなわち、位置情報取得部２０１は、無線ルータ１２１に対して、基地情報と共にGPS情報の取得を要求する。これに応じて、無線ルータ１２１は、基地情報取得部１２１ａを制御して、基地情報を取得させると共に、GPS情報取得部１２１ｂを制御して、図示せぬ衛星から送信されてくる信号に基づいて位置情報を計算させ、これをGPS情報として位置情報取得部２０１に供給する。位置情報取得部２０１は、無線ルータ１２１より供給されてくる基地情報、およびGPS情報を位置情報メモリ２０２に格納させる。
【０２２２】
登録部２２３、および管理DB２２４は、基本的な機能は登録部１５３、および管理DB１５６と同様の機能を備えているが、さらに、登録の際、位置情報として、基地情報のみで認証するか、GPS情報のみで認証するか、基地情報、およびGPS情報の両方で認証するかの認証種別を設定する。また、基地情報、およびGPS情報の両方を利用する場合、その両方が正しいときに認証するか、または、いずれかが正しいときに認証するかを指定することができる。
【０２２３】
受信部２２１は、受信バッファ２２１ａに無線ルータ１５０を介して受信された受信電文を取得して、電文解析部２２２に供給する。電文解析部２２２は、電文解析部１５２と基本的な機能は同様に備えているが、さらに、位置情報として基地情報、およびGPS情報とを利用することにより、上述した認証種別に対応した処理が含まれる。
【０２２４】
管理DB２２４は、管理DB１５６における位置情報として、基地情報に加えて、GPS情報が登録されると共に、さらに、位置情報の認証種別が登録される。
【０２２５】
［登録処理］
ここで、図１８のマーケティングデータ管理システムにおけるマーケティング管理処理について説明するものとするが、基本的な処理については、図２のマーケティングデータ管理システムにおける図３，図４のフローチャートを参照して説明した処理と同様であるため、以降においては、そのうち異なる処理についてのみ説明するものとする。
【０２２６】
まず、図１９のフローチャートを参照して、図１８のマーケティングデータ管理システムにおける登録処理について説明する。尚、図１９のフローチャートにおけるステップＳ３０１，Ｓ３０２の処理については、図５のフローチャートを参照して説明したステップＳ７１，Ｓ７２の処理と同様であるので、その説明は省略するものとする。
【０２２７】
ステップＳ３０３において、登録部２２３は、位置情報を用いた認証種別を特定する情報の入力を受け付けて、一時的に記憶する。ここで、位置情報を用いた認証種別を特定する情報は、基地情報のみを用いる場合、GPS情報のみを用いる場合、基地情報、並びに、GPS情報の両方を用いて、その両方の情報が正しいときのみ認証を認める場合、およびそのいずれかの情報が正しいとき認証を認める場合の合計４種類のいずれかを特定する情報となる。
【０２２８】
ステップＳ３０４において、登録部２２３は、送信部１５５の送信バッファ１５５ａに登録する遊技店１に対して位置情報を取得して送信してくるように指示する位置情報取得要求と共に、位置情報を用いた認証種別の情報をセットする。これにより、送信部１５５は、送信バッファ１５５ａの位置情報取得要求、および認証種別の情報を無線ルータ１５０より遊技店１の生体情報認識装置２１に送信する。
【０２２９】
［位置情報送信処理］
次に、図２０のフローチャートを参照して、図１８のマーケティングデータ管理システムにおける位置情報送信処理について説明する。尚、図２０におけるステップＳ３２３，Ｓ３２６乃至Ｓ３３０の処理は、図６のフローチャートを参照して説明したステップＳ９１，Ｓ９３乃至Ｓ９７の処理と同様であるので、その説明は省略するものとする。
【０２３０】
すなわち、ステップＳ３２１において、位置情報取得部２０１は、受信電文である位置情報取得要求に含まれている、位置情報の認証種別の情報を読み出す。
【０２３１】
ステップＳ３２２において、位置情報取得部２０１は、位置情報の認証種別が、基地情報、およびGPS情報の両方、または、そのいずれかであるか否かを判定する。ステップＳ３２２において、例えば、位置情報の認証種別が基地情報およびGPS情報の両方、または、そのいずれかである場合、処理は、ステップＳ３２３に進む。
【０２３２】
ステップＳ３２３において、位置情報取得部２０１は、基地情報取得処理を実行し、位置情報を取得する。尚、基地情報取得処理については、図７のフローチャートを参照して説明した処理と同様であるので、その説明は省略するものとする。
【０２３３】
ステップＳ３２４において、位置情報取得部２０１は、GPS情報取得処理を実行し、GPS情報を取得する。
【０２３４】
［GPS情報取得処理］
ここで、図２１のフローチャートを参照して、GPS情報取得処理について説明する。
【０２３５】
ステップＳ３５１において、位置情報取得部２０１は、無線ルータ１２１に対してGPS情報を取得させるように指示する。この指示に応じて、無線ルータ１２１は、GPS情報取得部１２１ｂを制御して、図示せぬ衛星からのGPS信号を受信して、受信した信号に基づいた位置情報をGPS情報として位置情報取得部１０６に供給する。
【０２３６】
ステップＳ３５２において、位置情報取得部２０１は、無線ルータ１２１より位置情報であるGPS情報が供給されてきて、位置情報として取得できたか否かを判定する。
【０２３７】
ステップＳ３５２において、位置情報取得部２０１は、無線ルータ１２１より位置情報が供給されてきて、位置情報が取得できたと判定された場合、処理は、ステップＳ３５３に進む。
【０２３８】
ステップＳ３５３において、位置情報取得部２０１は、供給されてきたGPS情報からなる位置情報を戻り値として位置情報メモリ２０２に記憶させる。
【０２３９】
ステップＳ３５４において、位置情報取得部２０１は、所定回数だけ、ステップＳ３５１乃至Ｓ３５３の処理が繰り返されたか否かを判定し、繰り返されていない場合、処理は、ステップＳ３５１に戻る。そして、ステップＳ３５４において、ステップＳ３５１乃至Ｓ３５３の処理が所定回数だけ繰り返された場合、処理は、終了する。
【０２４０】
また、ステップＳ３５２において、無線ルータ１２１のGPS情報取得部１２１ｂがいずれの図示せぬ衛星からも信号が受信できず、GPS情報が取得できないとき、ステップＳ３５３の処理はスキップされる。
【０２４１】
ステップＳ３５５において、位置情報取得部２０１は、位置情報メモリ２０２にアクセスし、GPS情報が記憶されているか否かを判定する。ステップＳ３５５において、例えば、GPS情報が記憶されている場合、ステップＳ３５６において、位置情報取得部２０１は、位置情報メモリ２０２に戻り値として位置情報であるGPS情報をそのまま記憶させる。
【０２４２】
一方、ステップＳ３５５において、位置情報取得部２０１は、位置情報メモリ２０２にGPS情報が記憶されておらず、GPS情報が取得できなかった場合、処理は、ステップＳ３５７に進む。
【０２４３】
ステップＳ３５７において、位置情報取得部２０１は、位置情報メモリ２０２にGPS情報が取得不可であったことを示す戻り値を設定して記憶させる。
【０２４４】
すなわち、以上の処理により、無線ルータ１２１のGPS情報取得部１２１ｂにより所定回数だけGPS情報の取得が繰り返されて、GPS情報が取得された場合、その取得されたGPS情報である緯度および経度の情報がGPS情報として位置情報メモリ２０２に記憶され、GPS情報が取得できなかった場合、GPS情報が取得不可であったことを示す戻り値が位置情報メモリ２０２に記憶される。尚、基地情報においては、戻り値として基地局IDが記憶され、基地局が取得されない状態については、触れられていないが、通常、携帯電話機の基地局とは通信できる状態であることが一般的である。しかしながら、GPS情報については、図示せぬ衛星からの信号を必ずしも受信できない状態となることが頻繁に発生することが知られているため、GPS情報については、受信不可であることが敢えて戻り値として設定されている。
【０２４５】
ここで、図２０のフローチャートの説明に戻る。
【０２４６】
ステップＳ３２４において、GPS情報取得処理が実行されると、処理は、ステップＳ３２５に進む。
【０２４７】
ステップＳ３２５において、送信部１０５は、送信電文のヘッダ部に認証種別に対応した位置情報をセットする。
【０２４８】
そして、以降においては、図２のマーケティングデータ管理システムと同様に、位置情報が第３者遊技店管理センタ４に送信される。
【０２４９】
一方、ステップＳ３２２において、認証種別がGPS情報、および基地情報ではない場合、ステップＳ３３１において、位置情報取得部２０１は、認証種別がGPS情報のみであるか否かを判定する。ステップＳ３３１において、例えば、認証種別がGPS情報のみである場合、ステップＳ３３２において、GPS情報取得処理が実行され、GPS情報が取得される。尚、GPS情報取得処理については、図２１のフローチャートを参照して説明した処理と同様であるので、その説明は省略する。
【０２５０】
ステップＳ３３１において、GPS情報のみではないと判定された場合、すなわち、基地情報のみであると判定された場合、ステップＳ３３３において、位置情報取得部２０１は、基地情報取得処理を実行し、基地情報を位置情報として取得する。尚、基地情報取得処理については、図７のフローチャートを参照して説明した処理と同様であるので、その説明は省略するものとする。
【０２５１】
すなわち、以上の処理により、認証種別に対応した位置情報として、GPS情報、および基地情報、GPS情報のみ、または基地情報のみが取得されて、位置情報として第３者遊技店管理センタ４に送信される。
【０２５２】
［データチェック処理］
次に、図２２のフローチャートを参照して、図１８のマーケティングデータ管理システムにおけるデータチェック処理について説明する。尚、図２２のフローチャートにおけるステップＳ３７５の処理を除き、図８のフローチャートを参照して説明したデータチェック処理と同様であるので、その説明は省略するものとする。
【０２５３】
すなわち、ステップＳ３７１乃至Ｓ３７４の処理により、受信バッファ１５１ａに格納されている受信電文のコマンドが有効であり、受信電文のサイズが正常であり、かつ、店舗名の登録がある場合、ステップＳ３７５において、受信部２２１は、受信バッファ２２１ａに格納されている受信電文のヘッダ部にセットされている認証種別に対応した位置情報が揃っているか否かを判定する。すなわち、受信部２２１は、認証種別が、GPS情報、および基地情報、または、それらのいずれかの場合、位置情報にGPS情報、および基地情報が含まれているか否かを判定し、認証種別が、GPS情報のみの場合、位置情報にGPS情報が含まれているか否かを判定し、認証種別が、基地情報のみの場合、位置情報に基地情報が含まれているか否かを判定する。
【０２５４】
そして、ステップＳ３７５において、認証種別に対応する位置情報が含まれていると判定された場合、処理は、ステップＳ３７６に進み、それ以降の処理に進む。また、ステップＳ３７５において、認証種別に対応する位置情報が含まれていない場合、処理は、ステップＳ３７８に進み、データ異常が発生していることを示す戻り値が設定される。
【０２５５】
このような処理により、受信電文のコマンドが有効であり、サイズが正常であり、店舗名の登録があり、位置情報が範囲内であると共に、さらに、認証種別に対応した位置情報が含まれているか否かに基づいて、受信電文のデータが確認されるので、認証種別に対応した位置情報が含まれていない受信電文は、第３者遊技店管理センタ４に対して受信されないこととなる。この結果、マーケティングデータが位置情報に対して厳格に処理されることになり、マーケティングデータの位置情報に対する精度を向上させることが可能となる。
【０２５６】
［受信電文別処理］
次に、図２３のフローチャートを参照して、受信電文別処理について説明する。尚、図２３のフローチャートにおけるステップＳ３９１，Ｓ３９２、およびステップＳ４００乃至Ｓ４０８，Ｓ４１０の処理は、図９のフローチャートを参照して説明したステップＳ１４１，Ｓ１４２、およびステップＳ１４４乃至Ｓ１５２，Ｓ１５４の処理と同様であるので、その説明は省略する。
【０２５７】
ステップＳ３９１において、電文解析部２２２は、受信部２２１の受信バッファ２２１ａの受信電文の情報を読み出し、ステップＳ３９２において、その内容が位置情報の登録である場合、ステップＳ４０９において、認証種別、店舗名、地区名、および位置情報を例えば、図２４で示されるような管理テーブルとして管理DB２２４に登録する。
【０２５８】
図２４の管理テーブルは、基本的な情報は、図１０の上段における管理テーブルと同様であるが、認証種別欄が加えられ、さらに、認証種別に対応した位置情報欄としてGSP情報欄および基地情報欄が設けられている。GPS情報欄には、左から緯度欄、経度欄、およびOFFSET（オフセット）欄が設けられており、それぞれGPS情報における緯度、経度、およびオフセットが表示されている。ここでいうオフセットとは、GPS情報により指定される点の位置を中心とした、緯度、または経度における角度で指定される円状、または方形状の範囲を指定するものである。
【０２５９】
すなわち、図２４の最上段のパーラー新宿については、認証種別として基地情報のみと登録されているように基地情報のみとされているため、GPS情報欄は空欄とされ、基地情報に基地局を識別する基地IDとしてID１乃至４が登録されている。また、図２４の中段のパーラー渋谷については、認証種別として「GPS情報＆基地情報」と登録されているように、GPS情報および基地情報とされているため、GPS情報欄の緯度欄には、35.69、経度欄には、139.67、オフセット欄には、±0.01とそれぞれ登録されており、さらに、基地情報に基地局を識別する基地IDとしてID４乃至６が登録されている。さらに、図２４の下段のパーラー中野については、認証種別として「GPS情報」と登録されているように、GPS情報のみとされているため、GPS情報欄の緯度欄には、35.66、経度欄には、139.68、オフセット欄には、±0.01とそれぞれ登録されている。
【０２６０】
さらに、GPS情報を利用することから、地区名については、図２５の地区テーブルで示されるように、緯度、および経度について最大値、および最小値を設定することにより、より詳細に設定するようにしてもよい。
【０２６１】
すなわち、図２５の上段の地区テーブルにおいては、左から番号欄、地区名欄、緯度最小値（緯度（MIN））欄、緯度最大値（緯度（MAX））欄、経度最小値（経度（MIN））欄、および経度最大値（経度（MAX））欄が設けられており、それぞれの地区毎に緯度の最小値、および最大値、並びに、経度の最小値、および最大値が設定されている。
【０２６２】
図２５の上段においては、地区Ａについては、緯度の最小値として35度30分が、最大値として35度32分が、経度の最小値として136度76分が、最大値として136度77分が、登録されている。同様に、地区Ｂについては、緯度の最小値として35度31分が、最大値として35度32分が、経度の最小値として136度77分が、最大値として136度78分が、登録されている。
【０２６３】
このような結果、図２５の下段で示されるように、緯度35度30分乃至35度32分で、かつ、経度136度76分乃至136度77分の範囲Ｚ１が、地区Ａの範囲として設定され、同様に、緯度35度31分乃至35度32分で、かつ、経度136度77分乃至136度78分の範囲Ｚ２が地区Ｂの範囲として設定される。
【０２６４】
すなわち、図１１で示されるように、携帯電話機の基地局のみでは、店舗名に対応する正確な位置を設定することが困難であるが、図２５で示されるような設定により、店舗ごとの位置を正確に特定することが可能となる。
【０２６５】
ここで、図２３のフローチャートの説明に戻る。
【０２６６】
ステップＳ３９２において、位置情報の登録ではない場合、ステップＳ３９３において、電文解析部２２２は、認証種別がGPS情報のみであるか否かを判定し、GPS情報のみである場合、処理は、ステップＳ３９４に進む。
【０２６７】
ステップＳ３９４において、電文解析部２２２は、ヘッダ部のGPS情報が、管理DB２２４に登録されたGPS情報と一致するか否かを判定し、一致する場合、位置情報による認証に問題がないものとみなされ、処理は、ステップＳ４０２に進む。一方、ステップＳ３９４において、ヘッダ部のGPS情報が、管理DB２２４に登録されたGPS情報と一致しない場合、位置情報による認証が失敗したものとみなし、処理は、ステップＳ４０８に進む。
【０２６８】
また、ステップＳ３９３において、認証種別がGPS情報のみではないとみなされた場合、処理は、ステップＳ３９５に進む。
【０２６９】
ステップＳ３９５において、電文解析部２２２は、認証種別がGPS情報、および基地情報のいずれも一致するものであるか否かを判定し、GPS情報、および基地情報のいずれも一致するものである場合、処理は、ステップＳ３９６に進む。
【０２７０】
ステップＳ３９６において、電文解析部２２２は、ヘッダ部のGPS情報、および基地情報が、管理DB２２４に登録されたGPS情報、および基地情報といずれも一致するか否かを判定し、一致する場合、位置情報による認証に問題がないものとみなされ、処理は、ステップＳ４００に進む。一方、ステップＳ３９６において、ヘッダ部のGPS情報、および基地情報が、管理DB２２４に登録されたGPS情報、および基地情報といずれかが一致しない場合、位置情報による認証が失敗したものとみなし、処理は、ステップＳ４０８に進む。
【０２７１】
また、ステップＳ３９５において、認証種別がGPS情報、および基地情報のいずれも一致するものではないとみなされた場合、処理は、ステップＳ３９７に進む。
【０２７２】
ステップＳ３９７において、電文解析部２２２は、認証種別が基地情報のみであるか否かを判定し、基地情報のみである場合、処理は、ステップＳ３９８に進む。
【０２７３】
ステップＳ３９８において、電文解析部２２２は、ヘッダ部の基地情報が、管理DB２２４に登録された基地情報と一致するか否かを判定し、一致する場合、位置情報による認証に問題がないものとみなされ、処理は、ステップＳ４００に進む。一方、ステップＳ３９８において、ヘッダ部の基地情報が、管理DB２２４に登録された基地情報と一致しない場合、位置情報による認証が失敗したものとみなし、処理は、ステップＳ４０８に進む。
【０２７４】
また、ステップＳ３９７において、認証種別が基地情報のみではないとみなされた場合、すなわち、GPS情報、および基地情報のいずれかが一致するものである場合、処理は、ステップＳ３９９に進む。
【０２７５】
ステップＳ３９９において、電文解析部２２２は、ヘッダ部のGPS情報、および基地情報のいずれかが、管理DB２２４に登録されたGPS情報、および基地情報と一致するか否かを判定し、一致する場合、位置情報による認証に問題がないものとみなされ、処理は、ステップＳ４００に進む。一方、ステップＳ３９９において、ヘッダ部のGPS情報、および基地情報のいずれもが、管理DB２２４に登録されたGPS情報、および基地情報のいずれとも一致しない場合、位置情報による認証が失敗したものとみなし、処理は、ステップＳ４０８に進む。
【０２７６】
以上の処理により、認証種別を切り替えて位置情報によりマーケティングデータの受け付け、または、マーケティングデータ取得要求を受け付けるようにしたので、認証種別を、「基地情報のみ」、「GPS情報のみ」、「GPS情報、または基地情報」、および「GPS情報、および基地情報」で区別することで位置情報の精度を切り替えて受け付けられるようにすることが可能になる。また、位置情報に対するマーケティングデータの認証精度を調整することが可能となるため、例えば、位置情報に対する精度を向上したいときには、「GPS情報、および基地情報」が一致するときとし、逆に、マーケティングデータの精度を簡略化したいときには、「基地情報のみ」とするようにしてもよい。
【０２７７】
さらに、基地情報は、位置精度としては低いが取得し易く、GPS情報は、位置精度は高いが取得し難いため、例えば、GPS情報が取得できないときにのみ、基地情報のみによる認証とし、位置情報による認証処理が所定回数なされるうち、１回でもGPS情報による認証ができれば、対応する店舗名のマーケティングデータ、およびマーケティングデータ取得要求を受け付けるようにしてもよい。このようにすることで、位置精度と、認証精度とをバランスよく組み合わせて使用することが可能となる。
【０２７８】
以上によれば、取得されるデータの位置精度を向上させることにより、地域毎に集計されるデータの信頼性を向上させることが可能となる。
【０２７９】
ところで、上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０２８０】
図２６は、汎用のパーソナルコンピュータの構成例を示している。このパーソナルコンピュータは、CPU(Central Processing Unit)１００１を内蔵している。CPU１００１にはバス１００４を介して、入出力インタフェース１００５が接続されている。バス１００４には、ROM(Read Only Memory)１００２およびRAM(Random Access Memory)１００３が接続されている。
【０２８１】
入出力インタフェース１００５には、ユーザが操作コマンドを入力するキーボード、マウスなどの入力デバイスよりなる入力部１００６、処理操作画面や処理結果の画像を表示デバイスに出力する出力部１００７、プログラムや各種データを格納するハードディスクドライブなどよりなる記憶部１００８、LAN（Local Area Network）アダプタなどよりなり、インターネットに代表されるネットワークを介した通信処理を実行する通信部１００９が接続されている。また、磁気ディスク（フレキシブルディスクを含む）、光ディスク（CD-ROM(Compact Disc-Read Only Memory)、DVD(Digital Versatile Disc)を含む）、光磁気ディスク（ＭＤ(Mini Disc)を含む）、もしくは半導体メモリなどのリムーバブルメディア１０１１に対してデータを読み書きするドライブ１０１０が接続されている。
【０２８２】
CPU１００１は、ROM１００２に記憶されているプログラム、または磁気ディスク、光ディスク、光磁気ディスク、もしくは半導体メモリ等のリムーバブルメディア１０１１から読み出されて記憶部１００８にインストールされ、記憶部１００８からRAM１００３にロードされたプログラムに従って各種の処理を実行する。RAM１００３にはまた、CPU１００１が各種の処理を実行する上において必要なデータなども適宜記憶される。
【０２８３】
尚、本明細書において、記録媒体に記録されるプログラムを記述するステップは、記載された順序に沿って時系列的に行われる処理は、もちろん、必ずしも時系列的に処理されなくとも、並列的あるいは個別に実行される処理を含むものである。
【０２８４】
また、本明細書において、システムとは、複数の装置により構成される装置全体を表すものである。
【符号の説明】
【０２８５】
１，１−１乃至１−ｎ  遊技店
２  生体情報管理センタ
３  生体情報管理データベース
４  第３者遊技店管理センタ
５  第３者遊技店管理データベース
６  生体情報管理バス
７  第３者遊技店管理バス
８，９  公衆通信回線網
２１  生体情報認識装置
２２  生体情報データベース
２４  遊技店管理装置
２６  遊技台管理データベース
２７  媒体貸出管理装置
２９  媒体貸出管理データベース
３０  遊技店管理情報バス
３１  生体情報バス
３３  精算機
３４  貸出機
３５  計数機
３６，３６−１乃至３６−ｍ  遊技台
３７，３７−１乃至３７−ｍ  遊技台周辺端末
３８，３８−１乃至３８−ｍ  カメラ
３９，３９−１乃至３９−（ｍ＋ｐ＋ｑ）  画像処理ユニット
４０，４０−１乃至４０−ｐ  入口カメラ
４１，４１−１乃至４１−ｑ  店内カメラ
【図１】
2012048541.tif 000003
【図２】
2012048541.tif 000004
【図３】
2012048541.tif 000005
【図４】
2012048541.tif 000006
【図５】
2012048541.tif 000007
【図６】
2012048541.tif 000008
【図７】
2012048541.tif 000009
【図８】
2012048541.tif 000010
【図９】
2012048541.tif 000011
【図１０】
2012048541.tif 000012
【図１１】
2012048541.tif 000013
【図１２】
2012048541.tif 000014
【図１３】
2012048541.tif 000015
【図１４】
2012048541.tif 000016
【図１５】
2012048541.tif 000017
【図１６】
2012048541.tif 000018
【図１７】
2012048541.tif 000019
【図１８】
2012048541.tif 000020
【図１９】
2012048541.tif 000021
【図２０】
2012048541.tif 000022
【図２１】
2012048541.tif 000023
【図２２】
2012048541.tif 000024
【図２３】
2012048541.tif 000025
【図２４】
2012048541.tif 000026
【図２５】
2012048541.tif 000027
【図２６】
2012048541.tif 000028